(57)【要約】【課題】冷却対象の冷却効率を高められる冷却装置及びプロジェクターを提供する。【解決手段】冷却装置は、蒸発部、凝縮部、蒸気管及び液管を備え、蒸発部は、液管から液相の作動流体が内部に流入する筐体と、それぞれ筐体内に設けられるウィック及びリザーバーと、筐体に設けられてウィックに接続されるグルーブとを有する。筐体は、気相の作動流体を蒸気管に排出する排出部を有する。グルーブは、ウィック側に開口して、気相に変化した作動流体が流通する複数の流路と、複数の流路及び排出部と連通し、複数の流路を流通した気相の作動流体を排出部に向けて流通させる排出路と、を有する。複数の流路のうち、少なくとも１つの流路は、一端が排出路と連通する主流路と、一端が閉塞され、他端が主流路と連通する複数の小流路とを有し、グルーブからリザーバーに向かう第１方向からグルーブを見た場合に、複数の小流路の流路幅は、主流路の流路幅よりも小さい。【選択図】図７
2020134897.tif 000002
【特許請求の範囲】
【請求項１】
冷却対象から伝達される熱によって液相の作動流体を蒸発させることによって、液相の前記作動流体を気相の前記作動流体に変化させる蒸発部と、
気相の前記作動流体を凝縮させることによって、気相の前記作動流体を液相の前記作動流体に変化させる凝縮部と、
前記蒸発部にて液相から気相に変化した前記作動流体を前記凝縮部に流通させる蒸気管と、
前記凝縮部にて気相から液相に変化した前記作動流体を前記蒸発部に流通させる液管と、を備え、
前記蒸発部は、
前記液管から液相の前記作動流体が内部に流入する筐体と、
前記筐体内に設けられ、液相の前記作動流体が浸み込み、液相の前記作動流体を輸送するウィックと、
前記筐体内に設けられ、前記筐体に流入された液相の前記作動流体を貯留するリザーバーと、
前記筐体に設けられ、前記ウィックに接続されるグルーブと、を有し、
前記筐体は、気相の前記作動流体を前記蒸気管に排出する排出部を有し、
前記グルーブは、
前記ウィック側に開口して、液相から気相に変化した前記作動流体が流通する複数の流路と、
前記複数の流路及び前記排出部と連通し、前記複数の流路を流通した気相の前記作動流体を前記排出部に向けて流通させる排出路と、を有し、
前記複数の流路のうち、少なくとも１つの流路は、
一端が前記排出路と連通する主流路と、
一端が閉塞され、他端が前記主流路と連通する複数の小流路と、を有し、
前記グルーブから前記リザーバーに向かう第１方向から前記グルーブを見た場合に、前記複数の小流路のそれぞれの流路幅は、前記主流路の流路幅よりも小さいことを特徴とする冷却装置。
【請求項２】
請求項１に記載の冷却装置において、
前記主流路における前記排出路と連通する端部とは反対側の端部は、閉塞されていることを特徴とする冷却装置。
【請求項３】
請求項１又は請求項２に記載の冷却装置において、
前記主流路は、前記第１方向に直交し、かつ、前記主流路が連通する前記排出路に向かう第２方向に延出し、
前記複数の小流路は、前記主流路に対して、前記第２方向に向かうに従って前記主流路に近接する方向に傾斜していることを特徴とする冷却装置。
【請求項４】
請求項１から請求項３のいずれか一項に記載の冷却装置において、
前記主流路は、前記排出路に対して、前記排出路における気相の前記作動流体の流通方向に向かって傾斜しており、
前記排出部は、前記排出路に対して、前記排出路における気相の前記作動流体の流通方向に向かって傾斜しており、かつ、前記主流路が前記排出路に対して傾斜する方向の前記排出路の端部側に接続され、
前記第１方向から見て、前記排出路に対する前記主流路の傾斜の向きと、前記排出路に対する前記排出部の傾斜の向きとは、同じであることを特徴とする冷却装置。
【請求項５】
請求項１又は請求項２に記載の冷却装置において、
前記主流路は、前記第１方向から見て、前記グルーブの中央側から外縁に向かって渦巻状に延出し、
前記排出路は、前記第１方向から見て、前記複数の流路を囲む環状に設けられていることを特徴とする冷却装置。
【請求項６】
請求項５に記載の冷却装置において、
前記複数の小流路は、前記グルーブの中央側から外縁に向かって延出して、前記主流路と接続されていることを特徴とする冷却装置。
【請求項７】
請求項５又は請求項６に記載の冷却装置において、
前記複数の小流路は、渦巻状の前記主流路の内周縁に接続されていることを特徴とする冷却装置。
【請求項８】
請求項１から請求項７のいずれか一項に記載の冷却装置において、
前記グルーブは、前記主流路における気相の前記作動流体の流通方向に直交する断面の面積を、前記主流路における気相の前記作動流体の流通方向に向かって大きくする拡張部を有することを特徴とする冷却装置。
【請求項９】
請求項８に記載の冷却装置において、
前記拡張部における前記第１方向の寸法は、前記主流路を流通する気相の前記作動流体の流通方向に向かって大きくなることを特徴とする冷却装置。
【請求項１０】
請求項９に記載の冷却装置において、
前記筐体は、前記第１方向とは反対方向に位置し、前記グルーブと前記冷却対象とを熱伝達可能に接続する接続面を有し、
前記冷却対象は、前記冷却対象の発熱中心が前記主流路における気相の前記作動流体の流通方向上流側の部位に対応するように設けられることを特徴とする冷却装置。
【請求項１１】
光源と、
前記光源から出射された光を変調する光変調装置と、
前記光変調装置によって変調された光を投射する投射光学装置と、
請求項１から請求項１０のいずれか一項に記載の冷却装置と、を備えることを特徴とするプロジェクター。
【請求項１２】
請求項１１に記載のプロジェクターにおいて、
前記冷却対象は、前記光源であることを特徴とするプロジェクター。
【発明の詳細な説明】
【技術分野】
【０００１】
本発明は、冷却装置及びプロジェクターに関する。
【背景技術】
【０００２】
従来、電子装置等の冷却に用いられる冷却装置として、内部に封入された作動流体の相変化を利用して、発熱体の熱を輸送することによって、発熱体を冷却するループ型ヒートパイプが知られている（例えば、特許文献１参照）。
特許文献１に記載のループ型ヒートパイプは、蒸発部、凝縮部、蒸気管及び液管を備える。蒸発部は、発熱体の熱によって液相の作動流体を蒸発させる。蒸気管は、蒸発部にて液相から気相に変化した作動流体を凝縮部に流通させる。凝縮部は、気相の作動流体を放熱により凝縮させて液相の作動流体に相変化させる。液管は、凝縮部にて液相に変化した作動流体を蒸発部へ流通させる。
このように、作動流体がループ型ヒートパイプ内を循環し、発熱体の熱が、蒸発部から凝縮部に輸送されて凝縮部にて放出されることによって、発熱体が冷却される。
【０００３】
なお、特許文献１に記載のループ型ヒートパイプでは、蒸発部は、平板型のウィックと、ウィックの下側に配置されて蒸気流路を形成するグルーブと、ウィック及びグルーブを収納する筐体とを有し、発熱体は、筐体に接続される。
ウィックは、多孔質の材料によって形成されており、ウィックには、液相の作動流体が筐体内の液溜め部から毛細管現象によって浸み込む。ウィックに浸み込んだ液相の作動流体は、発熱体から伝達される熱によって蒸発して気相の作動流体に変化し、気相の作動流体は、グルーブの蒸気流路を流通して、蒸気管内に流通する。
【先行技術文献】
【特許文献】
【０００４】
【特許文献１】特開２０１２−８３０８２号公報
【発明の概要】
【発明が解決しようとする課題】
【０００５】
特許文献１に記載のループ型ヒートパイプの内部環境は、減圧されていることから、蒸発部内にて液相から気相に相変化した作動流体の体積は、液相の作動流体の体積に比べて非常に大きくなる。このため、発生した気相の作動流体である蒸気を効率よく排出できない場合には、蒸気流路における圧力が高まって、液相から気相へ作動流体が相変化しにくくなり、冷却対象の冷却効率が低下する。
このことから、冷却対象の冷却効率を高めることができる冷却装置及びプロジェクターの構成が要望されてきた。
【課題を解決するための手段】
【０００６】
本発明の第１態様に係る冷却装置は、冷却対象から伝達される熱によって液相の作動流体を蒸発させることによって、液相の前記作動流体を気相の前記作動流体に変化させる蒸発部と、気相の前記作動流体を凝縮させることによって、気相の前記作動流体を液相の前記作動流体に変化させる凝縮部と、前記蒸発部にて液相から気相に変化した前記作動流体を前記凝縮部に流通させる蒸気管と、前記凝縮部にて気相から液相に変化した前記作動流体を前記蒸発部に流通させる液管と、を備え、前記蒸発部は、前記液管から液相の前記作動流体が内部に流入する筐体と、前記筐体内に設けられ、液相の前記作動流体が浸み込み、液相の前記作動流体を輸送するウィックと、前記筐体内に設けられ、前記筐体に流入された液相の前記作動流体を貯留するリザーバーと、前記筐体に設けられ、前記ウィックに接続されるグルーブと、を有し、前記筐体は、気相の前記作動流体を前記蒸気管に排出する排出部を有し、前記グルーブは、前記ウィック側に開口して、液相から気相に変化した前記作動流体が流通する複数の流路と、前記複数の流路及び前記排出部と連通し、前記複数の流路を流通した気相の前記作動流体を前記排出部に向けて流通させる排出路と、を有し、前記複数の流路のうち、少なくとも１つの流路は、一端が前記排出路と連通する主流路と、一端が閉塞され、他端が前記主流路と連通する複数の小流路と、を有し、前記グルーブから前記リザーバーに向かう第１方向から前記グルーブを見た場合に、前記複数の小流路のそれぞれの流路幅は、前記主流路の流路幅よりも小さいことを特徴とする。
【０００７】
上記第１態様では、前記主流路における前記排出路と連通する端部とは反対側の端部は、閉塞されていることが好ましい。
【０００８】
上記第１態様では、前記主流路は、前記第１方向に直交し、かつ、前記主流路が連通する前記排出路に向かう第２方向に延出し、前記複数の小流路は、前記主流路に対して、前記第２方向に向かうに従って前記主流路に近接する方向に傾斜していることが好ましい。
【０００９】
上記第１態様では、前記主流路は、前記排出路に対して、前記排出路における気相の前記作動流体の流通方向に向かって傾斜しており、前記排出部は、前記排出路に対して、前記排出路における気相の前記作動流体の流通方向に向かって傾斜しており、かつ、前記主流路が前記排出路に対して傾斜する方向の前記排出路の端部側に接続され、前記第１方向から見て、前記排出路に対する前記主流路の傾斜の向きと、前記排出路に対する前記排出部の傾斜の向きとは、同じであることが好ましい。
【００１０】
上記第１態様では、前記主流路は、前記第１方向から見て、前記グルーブの中央側から外縁に向かって渦巻状に延出し、前記排出路は、前記第１方向から見て、前記複数の流路を囲む環状に設けられていることが好ましい。
【００１１】
上記第１態様では、前記複数の小流路は、前記グルーブの中央側から外縁に向かって延出して、前記主流路と接続されていることが好ましい。
【００１２】
上記第１態様では、前記複数の小流路は、渦巻状の前記主流路の内周縁に接続されていることが好ましい。
【００１３】
上記第１態様では、前記グルーブは、前記主流路における気相の前記作動流体の流通方向に直交する断面の面積を、前記主流路における気相の前記作動流体の流通方向に向かって大きくする拡張部を有することが好ましい。
【００１４】
上記第１態様では、前記拡張部における前記第１方向の寸法は、前記主流路を流通する気相の前記作動流体の流通方向に向かって大きくなることが好ましい。
【００１５】
上記第１態様では、前記筐体は、前記第１方向とは反対方向に位置し、前記グルーブと前記冷却対象とを熱伝達可能に接続する接続面を有し、前記冷却対象は、前記冷却対象の発熱中心が前記主流路における気相の前記作動流体の流通方向上流側の部位に対応するように設けられることが好ましい。
【００１６】
本発明の第２態様に係るプロジェクターは、光源と、前記光源から出射された光を変調する光変調装置と、前記光変調装置によって変調された光を投射する投射光学装置と、上記冷却装置と、を備えることを特徴とする。
【００１７】
上記第２態様では、前記冷却対象は、前記光源であることが好ましい。
【図面の簡単な説明】
【００１８】
【図１】第１実施形態におけるプロジェクターの外観を示す斜視図。
【図２】第１実施形態におけるプロジェクターの内部構成を示す模式図。
【図３】第１実施形態における光源装置の構成を示す模式図。
【図４】第１実施形態における蒸発部の内部構造を模式的に示す断面図。
【図５】第１実施形態における蒸発部の内部構造を模式的に示す断面図。
【図６】第１実施形態におけるグルーブを示す平面図。
【図７】第１実施形態におけるグルーブの一部を拡大して示す平面図。
【図８】第１実施形態における主流路に対して傾斜した小流路を示す平面図。
【図９】第２実施形態に係るプロジェクターが備えるグルーブの流路を示す平面図。
【図１０】第３実施形態に係るプロジェクターが備えるグルーブを示す平面図。
【図１１】第３実施形態における流路を構成する主流路及び複数の小流路の一部を拡大して示す平面図。
【図１２】第４実施形態に係るプロジェクターが備える第２筐体及びグルーブを示す平面図。
【図１３】第４実施形態における流路を構成する主流路及び複数の小流路の一部を拡大して示す平面図。
【発明を実施するための形態】
【００１９】
［第１実施形態］
以下、本発明の第１実施形態について、図面に基づいて説明する。
［プロジェクターの概略構成］
図１は、本実施形態に係るプロジェクター１の外観を示す斜視図である。
本実施形態に係るプロジェクター１は、後述する光源装置４から出射された光を変調して画像情報に応じた画像を形成し、形成された画像をスクリーン等の被投射面上に拡大投射する画像表示装置である。プロジェクター１は、図１に示すように、プロジェクター１の外装を構成する外装筐体２を備える。
【００２０】
［外装筐体の構成］
外装筐体２は、天面部２１、底面部２２、正面部２３、背面部２４、左側面部２５及び右側面部２６を有し、略直方体形状に形成されている。
底面部２２は、プロジェクター１が載置される設置面と接する複数の脚部２２１を有する。
正面部２３は、外装筐体２において画像の投射側に位置する。正面部２３は、後述する投射光学装置３６の一部を露出させる開口部２３１を有し、投射光学装置３６によって投射される画像は、開口部２３１を通過する。また、正面部２３は、プロジェクター１内の冷却対象を冷却した冷却気体が外装筐体２の外部に排出される排気口２３２を有する。
右側面部２６は、外装筐体２外の空気等の気体を冷却気体として内部に導入する導入口２６１を有する。
【００２１】
［プロジェクターの内部構成］
図２は、プロジェクター１の内部構成を示す模式図である。
プロジェクター１は、図２に示すように、外装筐体２内にそれぞれ収容される画像投射装置３及び冷却装置５を更に備える。この他、図示を省略するが、プロジェクター１は、プロジェクター１の動作を制御する制御装置、及び、プロジェクター１の電子部品に電力を供給する電源装置を備える。
【００２２】
［画像投射装置の構成］
画像投射装置３は、制御装置から入力される画像情報に応じた画像を形成及び投射する。画像投射装置３は、光源装置４、均一化装置３１、色分離装置３２、リレー装置３３、画像形成装置３４、光学部品用筐体３５及び投射光学装置３６を備える。
光源装置４は、照明光を出射する。光源装置４の構成については、後に詳述する。
【００２３】
均一化装置３１は、光源装置４から出射された照明光を均一化する。この均一化された照明光は、色分離装置３２及びリレー装置３３を経て、画像形成装置３４の後述する光変調装置３４３の変調領域を照明する。均一化装置３１は、２つのレンズアレイ３１１，３１２、偏光変換素子３１３及び重畳レンズ３１４を備える。
色分離装置３２は、均一化装置３１から入射される光を赤、緑及び青の各色光に分離する。色分離装置３２は、２つのダイクロイックミラー３２１，３２２と、ダイクロイックミラー３２１によって分離された青色光を反射させる反射ミラー３２３と、を備える。
【００２４】
リレー装置３３は、他の色光の光路より長い赤色光の光路に設けられ、赤色光の損失を抑制する。リレー装置３３は、入射側レンズ３３１、リレーレンズ３３３、反射ミラー３３２，３３４を備える。なお、本実施形態では、他の色光より光路が長い色光を赤色光とし、赤色光の光路上にリレー装置３３を設けることとした。しかしながら、これに限らず、例えば他の色光より光路が長い色光を青色光とし、青色光の光路上にリレー装置３３を設ける構成としてもよい。
【００２５】
画像形成装置３４は、入射される赤、緑及び青の各色光を変調し、変調された各色光を合成して、画像を形成する。画像形成装置３４は、それぞれ入射される色光に応じて設けられる３つのフィールドレンズ３４１、３つの入射側偏光板３４２、３つの光変調装置３４３、３つの視野角補償板３４４及び３つの出射側偏光板３４５と、１つの色合成装置３４６と、を備える。
光変調装置３４３は、光源装置４から出射された光を画像情報に応じて変調する。光変調装置３４３は、赤色光用の光変調装置３４３Ｒ、緑色光用の光変調装置３４３Ｇ及び青色光用の光変調装置３４３Ｂを含む。本実施形態では、光変調装置３４３は、透過型の液晶パネルによって構成されており、入射側偏光板３４２、光変調装置３４３、出射側偏光板３４５によって液晶ライトバルブが構成される。
色合成装置３４６は、光変調装置３４３Ｂ，３４３Ｇ，３４３Ｒによって変調された各色光を合成して画像を形成する。本実施形態では、色合成装置３４６は、クロスダイクロイックプリズムによって構成されているが、これに限らず、例えば複数のダイクロイックミラーによって構成することも可能である。
【００２６】
光学部品用筐体３５は、上記した各装置３１〜３４を内部に収容する。なお、画像投射装置３には、設計上の光軸である照明光軸Ａｘが設定されており、光学部品用筐体３５は、照明光軸Ａｘにおける所定位置に各装置３１〜３４を保持する。なお、光源装置４及び投射光学装置３６は、照明光軸Ａｘにおける所定位置に配置される。
投射光学装置３６は、画像形成装置３４から入射される画像を被投射面上に拡大投射する。すなわち、投射光学装置３６は、光変調装置３４３Ｂ，３４３Ｇ，３４３Ｒによって変調された光を投射する。投射光学装置３６は、例えば筒状の鏡筒内に複数のレンズが収納された組レンズとして構成される。
【００２７】
［光源装置の構成］
図３は、光源装置４の構成を示す模式図である。
光源装置４は、照明光を均一化装置３１に出射する。光源装置４は、図３に示すように、光源用筐体ＣＡと、光源用筐体ＣＡ内にそれぞれ収容される光源部４１、アフォーカル光学素子４２、ホモジナイザー光学素子４３、偏光分離素子４４、第１集光素子４５、波長変換素子４６、第１位相差素子４７、第２集光素子４８、拡散反射装置４９及び第２位相差素子ＲＰと、を備える。
光源用筐体ＣＡは、塵埃等が内部に侵入しづらい密閉筐体として構成されている。
【００２８】
光源部４１、アフォーカル光学素子４２、ホモジナイザー光学素子４３、偏光分離素子４４と、第１位相差素子４７、第２集光素子４８及び拡散反射装置４９は、光源装置４に設定された照明光軸Ａｘ１上に配置されている。
波長変換素子４６、第１集光素子４５、偏光分離素子４４及び第２位相差素子ＲＰは、光源装置４に設定され、かつ、照明光軸Ａｘ１に直交する照明光軸Ａｘ２上に配置されている。
【００２９】
［光源部の構成］
光源部４１は、光を出射する光源４１１及びコリメーターレンズ４１５を備える。
光源４１１は、複数の第１半導体レーザー４１２及び複数の第２半導体レーザー４１３と、支持部材４１４と、を備える。
第１半導体レーザー４１２は、励起光であるｓ偏光の青色光Ｌ１ｓを出射する。青色光Ｌ１ｓは、例えば、ピーク波長が４４０ｎｍのレーザー光である。第１半導体レーザー４１２から出射された青色光Ｌ１ｓは、波長変換素子４６に入射される。
第２半導体レーザー４１３は、ｐ偏光の青色光Ｌ２ｐを出射する。青色光Ｌ２ｐは、例えば、ピーク波長が４６０ｎｍのレーザー光である。第２半導体レーザー４１３から出射された青色光Ｌ２ｐは、拡散反射装置４９に入射される。
【００３０】
支持部材４１４は、照明光軸Ａｘ１と直交する平面にそれぞれアレイ状に配置された複数の第１半導体レーザー４１２及び複数の第２半導体レーザー４１３を支持する。支持部材４１４は、熱伝導性を有する金属製部材であり、後述する蒸発部６Ａに接続される。そして、熱源である各半導体レーザー４１２，４１３、すなわち、光源４１１の熱は、蒸発部６Ａに伝達される。
【００３１】
第１半導体レーザー４１２から出射された青色光Ｌ１ｓ及び第２半導体レーザー４１３から出射された青色光Ｌ２ｐは、コリメーターレンズ４１５によって平行光束に変換され、アフォーカル光学素子４２に入射される。
なお、本実施形態では、光源４１１は、ｓ偏光の青色光Ｌ１ｓと、ｐ偏光の青色光Ｌ２ｐとを出射する構成である。しかしながら、これに限らず、光源４１１は、偏光方向が同じ直線偏光光である青色光を出射する構成としてもよい。この場合、入射された１種類の直線偏光をｓ偏光及びｐ偏光が含まれる光とする位相差素子を、光源部４１と偏光分離素子４４との間に配置すればよい。
【００３２】
［アフォーカル光学素子及びホモジナイザー光学素子の構成］
アフォーカル光学素子４２は、光源部４１から入射される青色光Ｌ１ｓ，Ｌ２ｐの光束径を調整して、ホモジナイザー光学素子４３に入射させる。アフォーカル光学素子４２は、入射される光を集光するレンズ４２１と、レンズ４２１によって集光された光束を平行化するレンズ４２２とにより構成されている。
ホモジナイザー光学素子４３は、青色光Ｌ１ｓ，Ｌ２ｐの照度分布を均一化する。ホモジナイザー光学素子４３は、一対のマルチレンズアレイ４３１，４３２により構成されている。
【００３３】
［偏光分離素子の構成］
ホモジナイザー光学素子４３を通過した青色光Ｌ１ｓ，Ｌ２ｐは、偏光分離素子４４に入射する。
偏光分離素子４４は、プリズム型の偏光ビームスプリッターであり、入射される光に含まれるｓ偏光成分とｐ偏光成分とを分離する。具体的に、偏光分離素子４４は、ｓ偏光成分を反射させ、ｐ偏光成分を透過させる。また、偏光分離素子４４は、ｓ偏光成分及びｐ偏光成分のいずれの偏光成分であっても、所定波長以上の光を透過させる色分離特性を有する。従って、ｓ偏光の青色光Ｌ１ｓは、偏光分離素子４４にて反射され、第１集光素子４５に入射する。一方、ｐ偏光の青色光Ｌ２ｐは、偏光分離素子４４を透過して、第１位相差素子４７に入射する。
【００３４】
［第１集光素子の構成］
第１集光素子４５は、偏光分離素子４４にて反射された青色光Ｌ１ｓを波長変換素子４６に集光する。また、第１集光素子４５は、波長変換素子４６から入射される蛍光光ＹＬを平行化する。図３の例では、第１集光素子４５は、２つのレンズ４５１，４５２によって構成されているが、第１集光素子４５を構成するレンズの数は問わない。
【００３５】
［波長変換素子の構成］
波長変換素子４６は、入射された光によって励起されて、入射された光より波長が長い蛍光光ＹＬを生成し、蛍光光ＹＬを第１集光素子４５に出射する。換言すると、波長変換素子４６は、入射された光の波長を変換し、変換された光を出射する。波長変換素子４６によって生成された蛍光光ＹＬは、例えば、ピーク波長が５００〜７００ｎｍの光である。波長変換素子４６は、波長変換部４６１及び放熱部４６２を備える。
波長変換部４６１は、図示を省略するが、波長変換層及び反射層を有する。波長変換層は、入射される青色光Ｌ１ｓを波長変換した非偏光光である蛍光光ＹＬを拡散出射する蛍光体を含む。反射層は、波長変換層から入射される蛍光光ＹＬを第１集光素子４５側に反射させる。
放熱部４６２は、波長変換部４６１における光入射側とは反対側の面に設けられ、波長変換部４６１にて生じた熱を放出する。
【００３６】
波長変換素子４６から出射された蛍光光ＹＬは、照明光軸Ａｘ２に沿って第１集光素子４５を通過した後、上記色分離特性を有する偏光分離素子４４に入射される。そして、蛍光光ＹＬは、偏光分離素子４４を照明光軸Ａｘ２に沿って通過し、第２位相差素子ＲＰに入射する。
なお、波長変換素子４６は、モーター等の回転装置によって、照明光軸Ａｘ２と平行な回転軸を中心として回転される構成であってもよい。
【００３７】
［第１位相差素子及び第２集光素子の構成］
第１位相差素子４７は、偏光分離素子４４と第２集光素子４８との間に配置されている。第１位相差素子４７は、偏光分離素子４４を通過した青色光Ｌ２ｐを円偏光の青色光Ｌ２ｃに変換する。青色光Ｌ２ｃは、第２集光素子４８に入射される。
第２集光素子４８は、第１位相差素子４７から入射される青色光Ｌ２ｃを拡散反射装置４９に集光する。また、第２集光素子４８は、拡散反射装置４９から入射される青色光Ｌ２ｃを平行化する。なお、第２集光素子４８を構成するレンズの数は、適宜変更可能である。
【００３８】
［拡散反射装置の構成］
拡散反射装置４９は、波長変換素子４６にて生成及び出射される蛍光光ＹＬと同様の拡散角で、入射された青色光Ｌ２ｃを拡散反射させる。拡散反射装置４９の構成として、入射された青色光Ｌ２ｃをランバート反射させる反射板と、反射板を照明光軸Ａｘ１と平行な回転軸を中心として回転させる回転装置とを備える構成を例示できる。
拡散反射装置４９にて拡散反射された青色光Ｌ２ｃは、第２集光素子４８を通過した後、第１位相差素子４７に入射される。青色光Ｌ２ｃは、拡散反射装置４９にて反射される際に、回転方向が反対方向の円偏光に変換される。このため、第２集光素子４８を介して第１位相差素子４７に入射された青色光Ｌ２ｃは、偏光分離素子４４から第１位相差素子４７に入射された際のｐ偏光の青色光Ｌ２ｃではなく、ｓ偏光の青色光Ｌ２ｓに変換される。そして、青色光Ｌ２ｓは、偏光分離素子４４にて反射されて、第２位相差素子ＲＰに入射される。すなわち、偏光分離素子４４から第２位相差素子ＲＰに入射される光は、青色光Ｌ２ｓ及び蛍光光ＹＬが混在した白色光である。
【００３９】
［第２位相差素子の構成］
第２位相差素子ＲＰは、偏光分離素子４４から入射される白色光をｓ偏光及びｐ偏光が混在する光に変換する。このように変換された白色の照明光ＷＬは、上記した均一化装置３１に入射される。
【００４０】
［冷却装置の構成］
冷却装置５は、プロジェクター１を構成する冷却対象を冷却する。本実施形態において、冷却対象は、光源装置４の光源４１１である。冷却装置５は、図２に示すように、ループ型ヒートパイプ５１及び冷却ファン５５を備える。
冷却ファン５５は、外装筐体２内の空間において排気口２３２とループ型ヒートパイプ５１の後述する凝縮部５３との間に設けられている。冷却ファン５５は、外装筐体２内の冷却気体を吸引して排気口２３２から排出する過程にて、凝縮部５３に冷却気体を流通させ、これにより、凝縮部５３を冷却する。なお、冷却ファン５５は、例えば、外装筐体２内の空間において導入口２６１と後述する凝縮部５３との間に設けられ、外装筐体２外の冷却気体を吸引して凝縮部５３に冷却気体を送出する構成であってもよい。
【００４１】
ループ型ヒートパイプ５１は、減圧状態で封入されることによって比較的低温で相状態が変化する作動流体が循環する循環流路を有する。詳述すると、ループ型ヒートパイプ５１は、冷却対象から伝達される熱によって、減圧状態で内部に封入された作動流体の相状態を液相から気相に相変化させ、作動流体が液相から気相へ相変化した部位以外の部位にて気相の作動流体から熱を奪って、作動流体の相状態を気相から液相に変化させるとともに、奪った熱を放出することによって、冷却対象を冷却する。
このようなループ型ヒートパイプ５１は、蒸発部６Ａ、蒸気管５２、凝縮部５３及び液管５４を備える。なお、蒸発部６Ａの構成は、後に詳述する。
【００４２】
［蒸気管の構成］
蒸気管５２は、作動流体の循環流路において、気相の作動流体が流通可能に蒸発部６Ａと凝縮部５３とを接続する管状部材である。蒸気管５２は、蒸発部６Ａにおいて液相から気相に変化して蒸発部６Ａから蒸気管５２に流入される作動流体を、凝縮部５３に流通させる。
【００４３】
［凝縮部の構成］
凝縮部５３は、気相の作動流体の熱を奪って放熱し、作動流体を気相から液相に相変化させ、液相の作動流体を液管５４に流出させる。すなわち、凝縮部５３は、気相の作動流体を凝縮させることによって、気相の作動流体を液相の作動流体に変化させる。凝縮部５３は、図示を省略するが、蒸気管５２及び液管５４が接続される本体部と、本体部に接続される放熱部と、を有する。
本体部は、蒸気管５２から流入される気相の作動流体が流通し、液管５４と連通する相変化流路を内部に有する。気相の作動流体は、相変化流路を流通する過程にて本体部に受熱されて冷却され、これにより液相の作動流体に変化される。そして、液相に変化された作動流体は、相変化流路内を更に流通して、本体部に受熱されて冷却された後、液管５４に流出される。
放熱部は、本体部に伝達された作動流体の熱を放出する部材であり、いわゆるヒートシンクである。放熱部には、冷却ファン５５の駆動によって冷却気体が流通し、これにより、凝縮部５３が冷却される。
【００４４】
［液管の構成］
液管５４は、作動流体の循環流路において、液相の作動流体が流通可能に凝縮部５３と蒸発部６Ａとを接続する管状部材である。液管５４は、凝縮部５３において気相から液相に変化した作動流体を、蒸発部６Ａに流通させる。
【００４５】
［蒸発部の構成］
蒸発部６Ａは、冷却対象としての光源４１１と接続され、光源４１１から伝達される熱によって液相の作動流体を蒸発させて、液相の作動流体を気相の作動流体に変化させる。具体的に、蒸発部６Ａは、光源４１１の支持部材４１４に接続され、支持部材４１４を介して伝達される半導体レーザー４１２，４１３の熱によって液相の作動流体を蒸発させることにより、半導体レーザー４１２，４１３を冷却する。
【００４６】
図４及び図５は、蒸発部６Ａの内部構造を模式的に示す断面図である。なお、図４に示される蒸発部６Ａの断面と、図５に示される蒸発部６Ａの断面とは、直交している。
蒸発部６Ａは、図４及び図５に示すように、筐体６１と、それぞれ筐体６１内に設けられるリザーバー６２、ウィック６３及びグルーブ６４Ａを備える。
なお、以下の説明では、互いに直交する三方向を＋Ｘ方向、＋Ｙ方向及び＋Ｚ方向とする。＋Ｙ方向を、グルーブ６４Ａからウィック６３及びリザーバー６２に向かう方向とする。すなわち、＋Ｙ方向は、第１方向に相当する。また、＋Ｘ方向を、筐体６１からの気相の作動流体の排出方向とする。＋Ｘ方向は、＋Ｙ方向に直交し、かつ、後述する主流路ＶＣ１１が延出する方向であり、第２方向に相当する。更に、＋Ｚ方向は、＋Ｙ方向及び＋Ｘ方向に直交し、かつ、後述する流路ＶＣ１の配列方向に沿う方向である。詳述すると、＋Ｙ方向が上方向となるように、蒸発部６Ａを＋Ｘ方向から見た場合の左方向を、＋Ｚ方向とする。
なお、図示を省略するが、＋Ｘ方向の反対方向を−Ｘ方向とし、＋Ｙ方向の反対方向を−Ｙ方向とし、＋Ｚ方向の反対方向を−Ｚ方向とする。
【００４７】
［筐体の構成］
筐体６１は、金属製の筐体である。筐体６１は、第１筐体６１１及び第２筐体６１２を有する。そして、筐体６１は、第１筐体６１１と第２筐体６１２とが組み合わされることによって、全体が略直方体の形状に形成される。
【００４８】
第１筐体６１１は、筐体６１における＋Ｙ方向の部位を構成する。第１筐体６１１は、第２筐体６１２と組み合わされたときに、内部にリザーバー６２を構成する。すなわち、第１筐体６１１には、リザーバー６２が設けられている。
第１筐体６１１は、流入部６１１１を＋Ｙ方向の面に有する。流入部６１１１は、液管５４が接続される液管接続部であり、流入部６１１１を介して、液相の作動流体が液管５４から筐体６１内に流入する。このように、液相の作動流体は、液管５４によって＋Ｙ方向から筐体６１に供給される。
【００４９】
第２筐体６１２は、第１筐体６１１に対して−Ｙ方向に配置されて、筐体６１における−Ｙ方向の部位を構成する。第２筐体６１２内には、ウィック６３が配置される他、グルーブ６４Ａを構成する複数の流路ＶＣ１が形成されている。すなわち、第２筐体６１２とグルーブ６４Ａとは一体化されている。
第２筐体６１２は、図５に示すように、後述するグルーブ６４Ａが有する複数の流路ＶＣ１及び排出路ＥＰＡを流通した気相の作動流体を、図２に示した蒸気管５２に排出する排出部６１２１を有する。排出部６１２１は、＋Ｘ方向に突出して蒸気管５２と接続される蒸気管接続部である。排出部６１２１は、排出路ＥＰＡと連通している。
また、第２筐体６１２は、−Ｙ方向に位置する底面６１２２を有する。底面６１２２は、グルーブ６４Ａと冷却対象である光源４１１とを熱伝達可能に接続する接続面である。
【００５０】
本実施形態において、第２筐体６１２における−Ｙ方向の部位の厚さ寸法、すなわち、後述する主流路ＶＣ１１における底部ＢＴから第２筐体６１２における−Ｙ方向の底面６１２２までの＋Ｙ方向における寸法は、一定である。そして、詳しくは後述するが、主流路ＶＣ１１は、＋Ｘ方向に向かうに従って底部ＢＴが−Ｙ方向に位置するように傾斜している。このため、底面６１２２は、主流路ＶＣ１１の底部ＢＴに沿う傾斜面であり、−Ｘ方向の端部から＋Ｘ方向に向かうに従って−Ｙ方向に突出する傾斜面である。
底面６１２２には、冷却装置５の冷却対象である光源４１１が熱伝達可能に接続される。換言すると、−Ｙ方向に位置する接続面としての底面６１２２は、グルーブ６４Ａと光源４１１とを熱伝達可能に接続する。詳述すると、光源４１１は、底面６１２２において−Ｘ方向寄りの部位に発熱中心ＨＣが当接するように設けられる。すなわち、冷却対象としての光源４１１は、光源４１１の発熱中心ＨＣが、後述する主流路ＶＣ１１において気相の作動流体の流通方向上流側の部位に対応するように設けられる。
なお、底面６１２２と冷却対象である光源４１１とは、金属等の熱伝導部材を介して熱伝達可能に接続されていてもよい。
【００５１】
［リザーバーの構成］
リザーバー６２は、図４及び図５に示すように、第１筐体６１１と第２筐体６１２とが組み合わされることによって、第１筐体６１１内に形成される。リザーバー６２は、液管５４を介して筐体６１内に流入される液相の作動流体を貯留する。換言すると、リザーバー６２は、筐体６１内において、ウィック６３によって吸引されなかった液相の作動流体が貯留される部位である。
【００５２】
［ウィックの構成］
ウィック６３は、液相の作動流体が浸み込み、浸み込んだ液相の作動流体をグルーブ６４Ａ側に輸送する平板状の多孔質体である。詳述すると、ウィック６３は、リザーバー６２に貯留されている液相の作動流体と接触するように第２筐体６１２内に設けられ、毛管力によって、リザーバー６２から浸み込んだ液相の作動流体を−Ｙ方向に輸送する。ウィック６３は、例えば、銅やステンレス鋼（ＳＵＳ：Steel Use Stainless）等の金属繊維、或いは、ガラス等の材料によって構成される。
【００５３】
［グルーブの構成］
図６は、＋Ｙ方向から見たグルーブ６４Ａを示す平面図である。なお、図６では、後述する小流路ＶＣ１２の図示を省略している他、ハッチを付すことによって面６４Ａ１を表している。
グルーブ６４Ａは、第２筐体６１２内に設けられる。グルーブ６４Ａは、筐体６１の内部においてウィック６３に対してリザーバー６２とは反対側の位置に設けられている。そして、グルーブ６４Ａにおける＋Ｙ方向の面６４Ａ１は、ウィック６３における−Ｙ方向の面と接続される。なお、グルーブ６４Ａは、金属によって形成されている。
このようなグルーブ６４Ａは、図６に示すように、液相から気相に変化された作動流体が流通する複数の流路ＶＣ１と、排出路ＥＰＡと、を有する。複数の流路ＶＣ１は、ウィック６３側に開口している。また、詳しくは後述するが、各流路ＶＣ１は、１つの主流路ＶＣ１１と、当該１つの主流路ＶＣ１１と連通する複数の小流路ＶＣ１２（図７参照）と、を有する。
【００５４】
［排出路の構成］
排出路ＥＰＡは、＋Ｚ方向に沿って延出しており、排出路ＥＰＡは、複数の流路ＶＣ１を構成する主流路ＶＣ１１における＋Ｘ方向の端部、すなわち、それぞれの主流路ＶＣ１１において蒸気の流通方向下流側の端部と接続されている。また、排出路ＥＰＡは、第２筐体６１２の排出部６１２１と接続されている。すなわち、排出路ＥＰＡは、各流路ＶＣ１の主流路ＶＣ１１及び排出部６１２１と連通している他、排出部６１２１を介して蒸気管５２と連通している。
このため、各流路ＶＣ１の主流路ＶＣ１１を流通した蒸気は、排出路ＥＰＡにて合流した後、排出部６１２１を介して蒸気管５２に流通する。すなわち、排出路ＥＰＡは、複数の流路ＶＣ１を流通した気相の作動流体を排出部６１２１に向けて流通させる。
【００５５】
［流路の構成］
複数の流路ＶＣ１は、それぞれ、液相から気相に変化した作動流体が流通する。各流路ＶＣ１は、ウィック６３と接続される面６４Ａ１から−Ｙ方向に凹む溝部であり、排出路ＥＰＡと連通している。
ここで、ウィック６３により−Ｙ方向に輸送された液相の作動流体は、グルーブ６４Ａにおいてウィック６３と接触する面６４Ａ１に到達し、複数の流路ＶＣ１内に流入する。一方、グルーブ６４Ａには、第２筐体６１２に伝達された光源４１１の熱が伝達される。このため、複数の流路ＶＣ１内に流入した液相の作動流体は、グルーブ６４Ａに伝達された熱によって蒸発されて、気相の作動流体に変化する。気相に変化した作動流体は、複数の流路ＶＣ１を流通する。ウィック６３にて液相から気相に作動流体が変化する場合も、気相の作動流体は、ウィック６３から複数の流路ＶＣ１に排出されて、複数の流路ＶＣ１を流通する。そして、複数の流路ＶＣ１を流通した気相の作動流体は、排出路ＥＰＡに流通する。
排出路ＥＰＡに流通した気相の作動流体は、上記のように、排出部６１２１に導かれ、排出部６１２１から蒸気管５２に排出される。
このように、光源４１１から奪われた熱が液相から気相への作動流体の相変化に利用されることにより、光源４１１から筐体６１への熱伝達が促進されて、光源４１１が冷却される。
以下、気相の作動流体を蒸気と省略する場合がある。
【００５６】
図７は、＋Ｙ方向から見たグルーブ６４Ａの一部を拡大して示す平面図である。換言すると、図７は、流路ＶＣ１をそれぞれ構成する主流路ＶＣ１１及び小流路ＶＣ１２の一部を示す平面図である。なお、図７においても、ハッチを付すことによって面６４Ａ１を表している。
複数の流路ＶＣ１は、図６及び図７に示すように、複数の主流路ＶＣ１１を有する他、図７に示すように、複数の主流路ＶＣ１１のそれぞれに応じて設けられる複数の小流路ＶＣ１２を有する。すなわち、１つの流路ＶＣ１は、１つの主流路ＶＣ１１と、当該１つの主流路ＶＣ１１に応じて設けられ、当該１つの主流路ＶＣ１１に連通する複数の小流路ＶＣ１２と、を有する。
【００５７】
［主流路の構成］
複数の主流路ＶＣ１１のそれぞれは、図６及び図７に示すように、連通する排出路ＥＰＡに向かって、第２方向である＋Ｘ方向に沿って直線状に延出しており、各主流路ＶＣ１１は、＋Ｚ方向に沿って配列されている。各主流路ＶＣ１１における−Ｘ方向の端部、すなわち、各主流路ＶＣ１１における排出路ＥＰＡと連通する端部とは反対側の端部は、閉塞されている。これにより、各主流路ＶＣ１１を流通する蒸気の流通方向は、＋Ｘ方向に規定される。そして、各主流路ＶＣ１１における＋Ｘ方向の端部が、排出路ＥＰＡと連通していることにより、各主流路ＶＣ１１を流通した蒸気は、排出路ＥＰＡに流入し、排出部６１２１によって蒸気管５２に排出される。
【００５８】
本実施形態では、ウィック６３側である＋Ｙ方向から見て、蒸気の流通方向である＋Ｘ方向に直交する＋Ｚ方向の寸法を、主流路ＶＣ１１の流路幅とした場合、主流路ＶＣ１１の流路幅は、−Ｘ方向の端部から＋Ｘ方向の端部までの間で同じである。
これに対し、グルーブ６４Ａは、図５に示すように、主流路ＶＣ１１の少なくとも一部に設けられ、かつ、主流路ＶＣ１１を流通する気相の作動流体である蒸気の流通方向である＋Ｘ方向に向かって主流路ＶＣ１１の流路断面積を拡張する拡張部ＥＸを有する。
【００５９】
拡張部ＥＸは、主流路ＶＣ１１における蒸気の流通方向に直交する断面の面積を、主流路ＶＣ１１における蒸気の流通方向に向かって大きくする。拡張部ＥＸは、主流路ＶＣ１１において−Ｙ方向に設けられている。
ここで、主流路ＶＣ１１において面６４Ａ１から−Ｙ方向の寸法を、主流路ＶＣ１１の深さ寸法とした場合、面６４Ａ１から拡張部ＥＸまでの深さ寸法は、−Ｘ方向の端部から＋Ｘ方向の端部に向かって大きくなる。詳述すると、拡張部ＥＸにおいて−Ｙ方向の端部である底部ＢＴの位置は、−Ｘ方向の端部から＋Ｘ方向の端部に向かって−Ｙ方向に位置する。このため、拡張部ＥＸは、蒸気の流通方向である＋Ｘ方向に向かって−Ｙ方向に傾斜している。
【００６０】
本実施形態では、拡張部ＥＸは、主流路ＶＣ１１において−Ｘ方向の端部から＋Ｘ方向の端部までに亘って設けられている。このため、主流路ＶＣ１１において＋Ｘ方向に直交する断面の面積は、＋Ｘ方向に向かうに従って−Ｙ方向に大きくなる。換言すると、主流路ＶＣ１１の底部ＢＴは傾斜している。なお、他の主流路ＶＣ１１も同様の拡張部ＥＸを有する。
このような拡張部ＥＸによって、各主流路ＶＣ１１において蒸気の流通方向下流側の部位における蒸気の排出抵抗が低減されるので、主流路ＶＣ１１を流通する蒸気が排出されやすくなる。
【００６１】
［小流路の構成］
複数の小流路ＶＣ１２は、図７に示すように、主流路ＶＣ１１と同様に、ウィック６３と接触する面６４Ａ１において＋Ｙ方向に開口して、蒸気が流通可能に形成された溝部である。
各小流路ＶＣ１２における一端は閉塞されている。一方で、各小流路ＶＣ１２の他端は、対応する主流路ＶＣ１１における−Ｚ方向の端縁と接続されている。換言すると、各小流路ＶＣ１２の他端は、＋Ｙ方向から見て、対応する主流路ＶＣ１１において蒸気の流通方向である＋Ｘ方向に沿って接続されており、かつ、互いに対向する端縁のうち、−Ｚ方向の端縁と接続されている。すなわち、各小流路ＶＣ１２の他端は、主流路ＶＣ１１と連通している。このため、小流路ＶＣ１２にて液相から気相に変化された作動流体、又は、ウィック６３にて液相から気相に変化されて小流路ＶＣ１２に流通した作動流体は、小流路ＶＣ１２において主流路ＶＣ１１と接続される端部から主流路ＶＣ１１内に流入する。そして、主流路ＶＣ１１に流入された蒸気は、上記のように、主流路ＶＣ１１を排出路ＥＰＡに向かって流通する。
【００６２】
各小流路ＶＣ１２において蒸気の流通方向に直交する断面の面積は、主流路ＶＣ１１において蒸気の流通方向に直交する断面の面積より小さい。
詳述すると、小流路ＶＣ１２における＋Ｙ方向の寸法である深さ寸法は、小流路ＶＣ１２の延出方向における一端から他端までの間で略一定である。小流路ＶＣ１２の深さ寸法は、主流路ＶＣ１１の深さ寸法よりも小さい。しかしながら、これに限らず、小流路ＶＣ１２の深さ寸法は、小流路ＶＣ１２との接続部位における主流路ＶＣ１１の深さ寸法と同じであってもよく、小流路ＶＣ１２の少なくとも一部に、主流路ＶＣ１１における拡張部ＥＸと同様の拡張部が設けられていてもよい。
一方、＋Ｙ方向から見て、小流路ＶＣ１２において蒸気の流通方向に直交する方向の寸法である流路幅は、小流路ＶＣ１２の延出方向における一端から他端までの間で略一定である。そして、＋Ｙ方向から見て、小流路ＶＣ１２の流路幅は、主流路ＶＣ１１の流路幅より小さい。
更に、小流路ＶＣ１２の流路長、すなわち、小流路ＶＣ１２における蒸気の流通方向の寸法は、主流路ＶＣ１１の流路長より小さい。
【００６３】
［小流路の傾斜］
図８は、主流路ＶＣ１１に対して傾斜した小流路ＶＣ１２を＋Ｙ方向から見た平面図である。なお、図８においては、見易さを考慮して、１つの主流路ＶＣ１１に対して１つの小流路ＶＣ１２のみ図示し、他の小流路ＶＣ１２の図示を省略している。
ここで、図８に示すように、小流路ＶＣ１２の延出方向をＤ１方向とし、対応する主流路ＶＣ１１の延出方向をＤ２方向とすると、Ｄ１方向は、Ｄ２方向に対して傾斜している。詳述すると、小流路ＶＣ１２は、Ｄ１方向とＤ２方向との交差角αが鋭角となるように、主流路ＶＣ１１に対して傾斜している。また、小流路ＶＣ１２との接続部位からの主流路ＶＣ１１の延出方向をＤ３方向とすると、小流路ＶＣ１２は、Ｄ１方向とＤ３方向との交差角βが鈍角となるように、主流路ＶＣ１１に対して傾斜している。
すなわち、小流路ＶＣ１２は、対応する主流路ＶＣ１１に対して、主流路ＶＣ１１が排出路ＥＰＡに向かって延出する方向に向かうに従って、主流路ＶＣ１１に近接する方向に傾斜している。
【００６４】
具体的に、主流路ＶＣ１１は、閉塞された−Ｘ方向の端部から＋Ｘ方向に沿って延出している。これに対し、小流路ＶＣ１２は、閉塞された−Ｘ方向の端部から＋Ｘ方向に向かうに従って主流路ＶＣ１１に近接する方向である＋Ｚ方向に向かって延出している。すなわち、小流路ＶＣ１２は、閉塞された一端から＋Ｘ方向かつ＋Ｚ方向に延出して、主流路ＶＣ１１と接続されている。このため、小流路ＶＣ１２の延出方向をＤ１方向とし、小流路ＶＣ１２との接続部位からの主流路ＶＣ１１の延出方向をＤ３方向とすると、Ｄ１方向とＤ２方向との交差角βは、鈍角となる。
このように小流路ＶＣ１２が主流路ＶＣ１１に対して傾斜していることによって、小流路ＶＣ１２を流通する蒸気を、対応する主流路ＶＣ１１に流通させやすくすることができる。従って、小流路ＶＣ１２から主流路ＶＣ１１への蒸気の排出抵抗を小さくすることができ、蒸気の排出効率を高めることができる。
【００６５】
［第１実施形態の効果］
以上説明した本実施形態に係るプロジェクター１によれば、以下の効果がある。
プロジェクター１は、冷却対象である光源４１１と、光源４１１から出射された光を変調する光変調装置３４３（３４３Ｂ，３４３Ｇ，３４３Ｒ）と、光変調装置３４３によって変調された光を投射する投射光学装置３６と、冷却装置５と、を備える。
冷却装置５は、蒸発部６Ａ、凝縮部５３、蒸気管５２及び液管５４を備える。凝縮部５３は、気相の作動流体を凝縮させることによって、気相の作動流体を液相の作動流体に変化させる。蒸気管５２は、蒸発部６Ａにて液相から気相に変化した作動流体を凝縮部５３に流通させ、液管５４は、凝縮部５３にて気相から液相に変化した作動流体を蒸発部６Ａに流通させる。蒸発部６Ａは、筐体６１、リザーバー６２、ウィック６３及びグルーブ６４Ａを有し、光源４１１から伝達される熱によって液相の作動流体を蒸発させることによって、液相の作動流体を気相の作動流体に変化させる。筐体６１は、液管５４から液相の作動流体が内部に流入する筐体であり、気相の作動流体を蒸気管５２に排出する排出部６１２１を有する。リザーバー６２は、筐体６１内に設けられ、筐体６１に流入された液相の作動流体を貯留する。ウィック６３は、筐体６１内に設けられて、液相の作動流体が浸み込み、液相の作動流体を−Ｙ方向に輸送し、グルーブ６４Ａは、筐体６１に設けられて、ウィック６３に接続される。
グルーブ６４Ａは、ウィック６３側に開口して、液相から気相に変化した作動流体が流通する複数の流路ＶＣ１と、複数の流路ＶＣ１及び排出部６１２１と連通し、複数の流路ＶＣ１を流通した気相の作動流体である蒸気を排出部６１２１に向けて流通させる排出路ＥＰＡと、を有する。各流路ＶＣ１は、一端が排出路ＥＰＡと連通する主流路ＶＣ１１と、一端が閉塞され、他端が主流路ＶＣ１１と連通する複数の小流路ＶＣ１２と、を有する。グルーブ６４Ａからリザーバー６２に向かう第１方向である＋Ｙ方向からグルーブ６４Ａを見た場合に、複数の小流路ＶＣ１２のそれぞれの流路幅は、主流路ＶＣ１１の流路幅よりも小さい。
【００６６】
このような構成によれば、小流路ＶＣ１２が無い場合に比べて、グルーブ６４Ａにおいて液相の作動流体が蒸発する蒸発部位を増やすことができる他、気相の作動流体が流通する蒸気流路を増やすことができる。これにより、液相から気相への作動流体の相変化を促進させることができる他、気相の作動流体を排出部６１２１に流通させやすくすることができ、気相の作動流体の排出効率を高めることができる。
また、小流路ＶＣ１２は、一端が閉塞され、他端が主流路ＶＣ１１と接続されている。このことから、小流路ＶＣ１２を流通する蒸気の流通方向を、主流路ＶＣ１１に向かう方向に規定できる。これにより、小流路ＶＣ１２を流通する蒸気を、主流路ＶＣ１１に流通させやすくすることができ、蒸気の排出効率を高めることができる。
従って、液相から気相への作動流体の相変化を促進でき、冷却対象である光源４１１から筐体６１への熱伝達を促進させることができるので、光源４１１の冷却効率を高めることができる。
【００６７】
主流路ＶＣ１１における排出路ＥＰＡと連通する端部とは反対側の端部は、閉塞されている。
このような構成によれば、小流路ＶＣ１２と同様に、主流路ＶＣ１１を流通する蒸気の流通方向を、主流路ＶＣ１１において排出路ＥＰＡに向かう方向に規定できる。従って、蒸気の排出効率を高めることができ、ひいては、光源４１１の冷却効率を高めることができる。
【００６８】
主流路ＶＣ１１は、第１方向である＋Ｙ方向に直交し、かつ、主流路ＶＣ１１が連通する排出路ＥＰＡに向かう第２方向である＋Ｘ方向に延出する。そして、複数の小流路ＶＣ１２は、対応する主流路ＶＣ１１に対して、＋Ｘ方向に向かうに従って主流路ＶＣ１１に近接する方向に傾斜している。
このような構成によれば、主流路ＶＣ１１における蒸気の流通方向に沿うように、小流路ＶＣ１２から主流路ＶＣ１１に蒸気が流入する。このことから、主流路ＶＣ１１における蒸気の流通方向に逆らうように、小流路ＶＣ１２から主流路ＶＣ１１に蒸気が流入する場合に比べて、小流路ＶＣ１２から主流路ＶＣ１１へ流通する蒸気の流通抵抗を小さくできる。従って、小流路ＶＣ１２から主流路ＶＣ１１に蒸気を流通させやすくすることができる。
【００６９】
ここで、蒸発部６Ａ内は減圧されている。このため、液相から気相に作動流体が変化した場合、気相の作動流体の体積は、液相の作動流体の体積に比べて非常に大きくなる。このことから、主流路ＶＣ１１における蒸気の流通方向に直交する断面の面積が小さいと、主流路ＶＣ１１から排出路ＥＰＡを介して排出部６１２１に蒸気が流通しにくくなるおそれがある。
これに対し、グルーブ６４Ａは、主流路ＶＣ１１における蒸気の流通方向に直交する断面の面積を、主流路ＶＣ１１における蒸気の流通方向に向かって大きくする拡張部ＥＸを有する。
このような構成によれば、蒸気を排出路ＥＰＡに流入させやすくすることができ、ひいては、排出部６１２１を介して蒸気を蒸気管５２に排出しやすくすることができる。従って、蒸気の排出効率を高めることができ、ひいては、光源４１１の冷却効率を高めることができる。
【００７０】
一方、主流路ＶＣ１１の流路幅を大きくすることによって、主流路ＶＣ１１における上記断面の面積を大きくすると、＋Ｙ方向から見た場合のグルーブ６４Ａ全体の寸法が大きくなる。一方、＋Ｙ方向から見た場合のグルーブ６４Ａ全体の寸法が規定されている場合には、主流路ＶＣ１１の流路幅を充分に大きくすることができない可能性がある他、グルーブ６４Ａに設けられる流路ＶＣ１の数が制限される可能性がある。
これに対し、拡張部ＥＸにおける＋Ｙ方向の寸法、換言すると、面６４Ａ１から拡張部ＥＸまでの間の＋Ｙ方向における寸法は、主流路ＶＣ１１における蒸気の流通方向に向かって大きくなる。すなわち、蒸気の流通方向に向かって主流路ＶＣ１１の深さ寸法が大きくなることによって、主流路ＶＣ１１における上記断面の面積は、蒸気の流通方向に向かって大きくなる。これによれば、主流路ＶＣ１１の流路幅を蒸気の流通方向に向かって大きくする必要がない。従って、主流路ＶＣ１１における上記断面の面積を大きくしやすくすることができる他、グルーブ６４Ａに設けられる流路ＶＣ１の数が制限されることを抑制できる。
【００７１】
ここで、発熱中心ＨＣが主流路ＶＣ１１における下流側の部位に対応するように、冷却対象である光源４１１が配置される場合、主流路ＶＣ１１における上流側の部位を液相の作動流体の蒸発部位として利用しづらくなる。この場合、液相から気相への作動流体の相変化効率が低くなる他、光源４１１から伝達される熱を用いて作動流体の相変化を効率よく行うことが難しくなる。すなわち、液相の作動流体の蒸発部位が、主流路ＶＣ１１における下流側に偏って存在することとなり、液相から気相への作動流体の相変化効率が低くなる他、光源４１１から伝達される熱の消費効率が低くなる。また、ウィック６３とグルーブ６４Ａの面６４Ａ１との接続部位から底面６１２２までの−Ｙ方向における距離が、主流路ＶＣ１１の上流側と比較して大きくなることから、光源４１１から伝達される熱の伝達効率が低くなる。
【００７２】
これに対し、筐体６１は、＋Ｙ方向とは反対方向である−Ｙ方向に位置し、グルーブ６４Ａと冷却対象である光源４１１とを熱伝達可能に接続する接続面としての底面６１２２を有する。そして、光源４１１は、発熱中心ＨＣが主流路ＶＣ１１における蒸気の流通方向上流側の部位に対応するように設けられている。
これによれば、底面６１２２において主流路ＶＣ１１における流通方向上流側の部位に応じた上流側部位は、流通方向下流側の部位に応じた下流側部位より、ウィック６３に近いことから、まず、主流路ＶＣ１１における流通方向上流側の部位を蒸発部位とすることができ、更に光源４１１の熱が伝わることによって、流通方向下流側の部位を蒸発部位とすることができる。従って、主流路ＶＣ１１全体を蒸発部位とすることができるので、上記の場合に比べて、液相から気相への作動流体の相変化効率を高くすることができ、光源４１１から伝達される熱の消費効率、ひいては、光源４１１の冷却効率を高めることができる。
なお、グルーブ６４Ａにて液相の作動流体が蒸発する場合、液相の作動流体の蒸発部位は、流路ＶＣ１において面６４Ａ１に近い部位となる。このため、光源４１１の発熱中心ＨＣが、主流路ＶＣ１１における蒸気の流通方向上流側の部位に対応するように設けられることにより、発光中心と面６４Ａ１との＋Ｙ方向における距離を短くすることができる。従って、流路ＶＣ１において面６４Ａ１に近い部位に光源４１１の熱を伝導させやすくすることができるので、液相から気相への作動流体の相変化を一層促進できる。
【００７３】
［第２実施形態］
次に、本発明の第２実施形態について説明する。
本実施形態に係るプロジェクターは、第１実施形態にて示したプロジェクター１と同様の構成を備えるが、より多くの小流路が１つの主流路に設けられている点で相違する。なお、以下の説明では、既に説明した部分と同一又は略同一である部分については、同一の符号を付して説明を省略する。
【００７４】
図９は、本実施形態に係るプロジェクターが備えるグルーブ６４Ｂが有する複数の流路ＶＣ２の一部を示す平面図である。なお、図９においては、見易さを考慮して、第１小流路ＶＣ２３及び第２小流路ＶＣ２４のうち、それぞれ一部の第１小流路ＶＣ２３及び第２小流路ＶＣ２４についてのみ符号を付す。
本実施形態に係るプロジェクターは、蒸発部６Ａに代えて蒸発部６Ｂを有する他は、第１実施形態に係るプロジェクター１と同様の構成及び機能を有する。すなわち、本実施形態において光源４１１を冷却対象とする冷却装置５は、蒸発部６Ａに代えて蒸発部６Ｂを有する。
蒸発部６Ｂは、グルーブ６４Ａに代えて、図９に示すグルーブ６４Ｂを有する他は、蒸発部６Ａと同様の構成及び機能を有する。
【００７５】
［グルーブの構成］
グルーブ６４Ｂは、複数の流路ＶＣ１に代えて複数の流路ＶＣ２を有する他は、グルーブ６４Ａと同様の構成及び機能を有する。すなわち、グルーブ６４Ｂは、グルーブ６４Ａと同様に、第２筐体６１２と一体化されており、＋Ｙ方向の面６４Ｂ１は、ウィック６３における−Ｙ方向の面と接続される。
このようなグルーブ６４Ｂは、面６４Ｂ１から−Ｙ方向に凹む溝部である複数の流路ＶＣ２と、図示を省略するが、複数の流路ＶＣ２と連通して、複数の流路ＶＣ２を流通した蒸気が流入する排出路ＥＰＡと、を有する。
【００７６】
複数の流路ＶＣ２のそれぞれは、主流路ＶＣ１１と、主流路ＶＣ１１と連通する複数の小流路ＶＣ２２とを有する。すなわち、グルーブ６４Ｂは、１つの主流路ＶＣ１１及び複数の小流路ＶＣ２２を有する流路ＶＣ２を複数備える。
なお、各主流路ＶＣ１１は、上記のように、排出路ＥＰＡに向かう＋Ｘ方向に沿ってそれぞれ延出しており、＋Ｚ方向に沿って配列されている。そして、−Ｘ方向の端部が閉塞され、＋Ｘ方向の端部が排出路ＥＰＡと接続されている。
【００７７】
１つの流路ＶＣ２において、複数の小流路ＶＣ２２は、対応する主流路ＶＣ１１に対して＋Ｚ方向に位置する複数の第１小流路ＶＣ２３と、対応する主流路ＶＣ１１に対して−Ｚ方向に位置する複数の第２小流路ＶＣ２４と、を含む。
各第１小流路ＶＣ２３における−Ｘ方向の端部は、閉塞されている。各第１小流路ＶＣ２３の＋Ｘ方向の端部は、＋Ｙ方向から見て、対応する主流路ＶＣ１１において蒸気の流通方向である＋Ｘ方向に沿って接続されており、かつ、互いに対向する端縁のうち、＋Ｚ方向の端縁と接続されている。詳述すると、各第１小流路ＶＣ２３は、−Ｘ方向の端部から＋Ｘ方向に向かうに従って主流路ＶＣ１１に近接する方向である−Ｚ方向に延出し、主流路ＶＣ１１と接続されている。すなわち、主流路ＶＣ１１に対して＋Ｚ方向に位置する各第１小流路ＶＣ２３は、主流路ＶＣ１１に対して、−Ｘ方向の端部から＋Ｘ方向に向かうに従って主流路ＶＣ１１に近接する方向に傾斜している。そして、詳しい図示を省略するが、主流路ＶＣ１１に対する小流路ＶＣ１２と同様に、第１小流路ＶＣ２３の延出方向は、対応する主流路ＶＣ１１の延出方向に対して鋭角に交差し、第１小流路ＶＣ２３との接続部位からの主流路ＶＣ１１の延出方向に対して鈍角に交差する。
【００７８】
各第２小流路ＶＣ２４における−Ｘ方向の端部は、閉塞されている。各第２小流路ＶＣ２４の＋Ｘ方向の端部は、＋Ｙ方向から見て、対応する主流路ＶＣ１１において蒸気の流通方向である＋Ｘ方向に沿って接続されており、かつ、互いに対向する端縁のうち、−Ｚ方向の端縁と接続されている。詳述すると、各第２小流路ＶＣ２４は、−Ｘ方向の端部から＋Ｘ方向に向かうに従って主流路ＶＣ１１に近接する方向である＋Ｚ方向に延出し、主流路ＶＣ１１と接続されている。すなわち、主流路ＶＣ１１に対して−Ｚ方向に位置する各第２小流路ＶＣ２４は、主流路ＶＣ１１に対して、−Ｘ方向の端部から＋Ｘ方向に向かうに従って主流路ＶＣ１１に近接する方向に傾斜している。そして、詳しい図示を省略するが、第１小流路ＶＣ２３と同様に、第２小流路ＶＣ２４の延出方向は、対応する主流路ＶＣ１１の延出方向に対して鋭角に交差し、第２小流路ＶＣ２４との接続部位からの主流路ＶＣ１１の延出方向に対して鈍角に交差する。
【００７９】
＋Ｙ方向から見た場合、第１小流路ＶＣ２３の流路幅と、第２小流路ＶＣ２４の流路幅とは同じである。また、＋Ｙ方向から見て、第１小流路ＶＣ２３の流路幅は、−Ｘ方向の端部から＋Ｘ方向の端部までの間で略一定であり、第２小流路ＶＣ２４の流路幅は、−Ｘ方向の端部から＋Ｘ方向の端部までの間で略一定である。換言すると、第１小流路ＶＣ２３の流路幅及び第２小流路ＶＣ２４の流路幅は、閉塞された端部から主流路ＶＣ１１側の端部までの間で略一定である。
一方、＋Ｙ方向から見た場合、第１小流路ＶＣ２３の流路幅及び第２小流路ＶＣ２４の流路幅は、対応する主流路ＶＣ１１の流路幅より小さい。なお、上記のように、主流路ＶＣ１１の流路幅は、−Ｘ方向の端部から＋Ｘ方向の端部までの間で略一定である。
また、第１小流路ＶＣ２３の深さ寸法は、−Ｘ方向の端部から＋Ｘ方向の端部までの間で略一定であり、第１小流路ＶＣ２３との接続部位における主流路ＶＣ１１の深さ寸法よりも小さい、又は、主流路ＶＣ１１の深さ寸法と同じである。第２小流路ＶＣ２４の深さ寸法も、第１小流路ＶＣ２３と同様である。
更に、第１小流路ＶＣ２３の流路長、及び、第２小流路ＶＣ２４の流路長は、対応する主流路ＶＣ１１の流路長より小さい。
【００８０】
［第２実施形態の効果］
以上説明した本実施形態に係るプロジェクターによれば、プロジェクター１と同様の効果を奏することができる他、以下の効果を奏することができる。
１つの流路ＶＣ２は、主流路ＶＣ１１と、主流路ＶＣ１１に連通する複数の小流路ＶＣ２２と、を有する。複数の小流路ＶＣ２２は、主流路ＶＣ１１における＋Ｚ方向の端縁に接続される複数の第１小流路ＶＣ２３と、主流路ＶＣ１１における−Ｚ方向の端縁に接続される複数の第２小流路ＶＣ２４と、を含む。
このような構成によれば、液相の作動流体の蒸発部位をより多く設けることができる。これにより、液相から気相への作動流体の相変化を促進できるので、冷却対象である光源４１１からの蒸発部６Ｂへの熱伝達を促進できる。従って、冷却対象の冷却効率を高めることができる。
【００８１】
［第３実施形態］
次に、本発明の第３実施形態について説明する。
本実施形態に係るプロジェクターは、第２実施形態に係るプロジェクターと同様の構成を有するが、グルーブが有する各流路の延出方向が異なる他、排出路が異なる。なお、以下の説明では、既に説明した部分と同一又は略同一である部分については、同一の符号を付して説明を省略する。
【００８２】
図１０は、本実施形態に係るプロジェクターが備えるグルーブ６４Ｃを＋Ｙ方向から見た平面図である。なお、図１０では、小流路ＶＣ３２の図示を省略している他、グルーブ６４Ｃにおいてウィック６３と接触する＋Ｙ方向の面６４Ｃ１を、ハッチを付すことによって表している。
本実施形態に係るプロジェクターは、蒸発部６Ａに代えて蒸発部６Ｃを有する他は、第１実施形態に係るプロジェクター１と同様の構成及び機能を有する。すなわち、本実施形態において光源４１１を冷却対象とする冷却装置５は、蒸発部６Ａに代えて蒸発部６Ｃを有する。
蒸発部６Ｃは、図１０に示すように、第２筐体６１２及びグルーブ６４Ａに代えて、第２筐体６１２Ｃ及びグルーブ６４Ｃを有する他は、蒸発部６Ａと同様の構成及び機能を有する。
【００８３】
［第２筐体の構成］
第２筐体６１２Ｃは、第２筐体６１２と同様に、第１筐体６１１と−Ｙ方向にて組み合されることによって筐体６１を構成する。第２筐体６１２Ｃは、排出部６１２１の位置が異なる他は、第２筐体６１２と同様の構成及び機能を有する。
排出部６１２１は、＋Ｙ方向から見て、略矩形状の第２筐体６１２Ｃにおける１つの角部に位置する。具体的に、排出部６１２１は、＋Ｙ方向から見て、＋Ｘ方向かつ−Ｚ方向の角部に位置し、＋Ｘ方向かつ−Ｚ方向に突出している。このため、排出部６１２１による蒸気の排出方向は、＋Ｘ方向かつ−Ｚ方向である。すなわち、排出部６１２１は、後述する排出路ＥＰＣの延出方向に対して＋Ｘ方向かつ−Ｚ方向に傾斜して、排出路ＥＰＣに接続されている。
【００８４】
［グルーブの構成］
グルーブ６４Ｃは、第２筐体６１２Ｃと一体化されている。グルーブ６４Ｃは、複数の流路ＶＣ３と、排出路ＥＰＣと、を有する。
排出路ＥＰＣは、排出路ＥＰＡと同様に、複数の流路ＶＣ３を流通した蒸気を排出部６１２１に導く部位であり、面６４Ｃ１から−Ｙ方向に凹んだ溝部である。排出路ＥＰＣは、＋Ｙ方向から見て、略矩形状のグルーブ６４Ｃにおける−Ｚ方向の端部に位置する第１排出路ＥＰＣ１と、グルーブ６４Ｃにおける＋Ｘ方向の端部に位置する第２排出路ＥＰＣ２と、を含む。
【００８５】
第１排出路ＥＰＣ１は、＋Ｘ方向に沿って延出して排出部６１２１と連通している。
第２排出路ＥＰＣ２は、−Ｚ方向に沿って延出して排出部６１２１と連通している。
すなわち、第１排出路ＥＰＣ１と第２排出路ＥＰＣ２とは、グルーブ６４Ｃにおける＋Ｘ方向で−Ｚ方向の角部にて交差し、排出部６１２１と連通している。
【００８６】
図１１は、流路ＶＣ３を構成する主流路ＶＣ３１及び複数の小流路ＶＣ３２を＋Ｙ方向から見た平面図である。なお、図１１においても、ハッチを付すことによって、ウィック６３と接触する面６４Ｃ１を表している。
複数の流路ＶＣ３は、図１０及び図１１に示すように、複数の主流路ＶＣ３１を有する他、図１１に示すように、各主流路ＶＣ３１に応じて設けられた複数の小流路ＶＣ３２と、を含んで構成される。すなわち、グルーブ６４Ｃは、１つの主流路ＶＣ３１と、当該１つの主流路ＶＣ３１に応じてそれぞれ設けられ、当該１つの主流路ＶＣ３１と連通する複数の小流路ＶＣ３２と、を有する流路ＶＣ３を複数備える。
【００８７】
複数の主流路ＶＣ３１は、図１０に示すように、＋Ｙ方向から見て、排出部６１２１の延出方向、すなわち、排出部６１２１による蒸気の排出方向と平行であり、それぞれ＋Ｚ方向に所定間隔を空けて配列されている。具体的に、各主流路ＶＣ３１は、＋Ｘ方向かつ−Ｚ方向に延出している。
各主流路ＶＣ３１における−Ｘ方向の端部は、閉塞されている。
各主流路ＶＣ３１における＋Ｘ方向の端部は、排出路ＥＰＣと連通している。
これら主流路ＶＣ３１は、排出路ＥＰＣに対して、排出路ＥＰＣにおける蒸気の流通方向に向かって傾斜して排出路ＥＰＣの一端である−Ｘ方向の端部側又は＋Ｚ方向の端部側に接続されている。
【００８８】
主流路ＶＣ３１は、図示を省略するが、主流路ＶＣ１１と同様に、主流路ＶＣ３１の少なくとも一部に設けられ、かつ、主流路ＶＣ３１を流通する蒸気の流通方向に向かって主流路ＶＣ３１の流路断面積を拡張する拡張部ＥＸを有する。主流路ＶＣ３１における拡張部ＥＸは、主流路ＶＣ１１における拡張部ＥＸと同様に、主流路ＶＣ３１における−Ｙ方向に設けられている。
なお、本実施形態においても、拡張部ＥＸは、主流路ＶＣ３１における−Ｘ方向の端部から＋Ｘ方向の端部に亘って設けられている。このため、主流路ＶＣ３１における蒸気の流通方向に直交する断面の面積は、閉塞された−Ｘ方向の端部から蒸気の流通方向に向かって大きくなる。
【００８９】
複数の主流路ＶＣ３１のうち、＋Ｚ方向に位置する７つの主流路ＶＣ３１Ａ〜ＶＣ３１Ｇは、＋Ｘ方向の端部が第２排出路ＥＰＣ２と連通している。これら主流路ＶＣ３１Ａ〜ＶＣ３１Ｇは、第２排出路ＥＰＣ２に対して、第２排出路ＥＰＣ２における蒸気の流通方向である−Ｚ方向に向かって傾斜しており、かつ、第２排出路ＥＰＣ２の一端である＋Ｚ方向の端部側に接続されている。そして、詳しい図示を省略するが、主流路ＶＣ３１Ａ〜ＶＣ３１Ｇの延出方向は、第２排出路ＥＰＣ２の延出方向である−Ｚ方向と、鋭角にて交差し、主流路ＶＣ３１Ａ〜ＶＣ３１Ｇとの接続部位からの第２排出路ＥＰＣ２の延出方向と、鈍角にて交差する。
【００９０】
複数の主流路ＶＣ３１のうち、−Ｚ方向に位置する５つの主流路ＶＣ３１Ｈ〜ＶＣ３１Ｌは、＋Ｘ方向の端部が第１排出路ＥＰＣ１と連通している。これら主流路ＶＣ３１Ｈ〜ＶＣ３１Ｌは、第１排出路ＥＰＣ１に対して、第１排出路ＥＰＣ１における蒸気の流通方向である＋Ｘ方向に向かって傾斜しており、かつ、第１排出路ＥＰＣ１の一端である−Ｘ方向の端部側に接続されている。そして、詳しい図示を省略するが、主流路ＶＣ３１Ｈ〜ＶＣ３１Ｌの延出方向は、第１排出路ＥＰＣ１の延出方向である＋Ｘ方向と、鋭角にて交差し、主流路ＶＣ３１Ｈ〜ＶＣ３１Ｌとの接続部位からの第１排出路ＥＰＣ１の延出方向と、鈍角にて交差する。
【００９１】
そして、排出部６１２１は、第１排出路ＥＰＣ１に対して、第１排出路ＥＰＣ１を流通する蒸気の流通方向である＋Ｘ方向に傾斜しており、かつ、第１排出路ＥＰＣ１の他端である＋Ｘ方向の端部側に接続されている。すなわち、排出部６１２１は、第１排出路ＥＰＣ１に対して主流路ＶＣ３１Ｈ〜ＶＣ３１Ｌが傾斜する方向の第１排出路ＥＰＣ１の端部側に接続されている。
また、排出部６１２１は、第２排出路ＥＰＣ２に対して、第２排出路ＥＰＣ２を流通する蒸気の流通方向である−Ｚ方向に傾斜しており、かつ、第２排出路ＥＰＣ２の他端である−Ｚ方向の端部側に接続されている。すなわち、排出部６１２１は、第２排出路ＥＰＣ２に対して主流路ＶＣ３１Ａ〜ＶＣ３１Ｇが傾斜する方向の第２排出路ＥＰＣ２の端部側に接続されている。
【００９２】
このように、＋Ｙ方向から見て、排出路ＥＰＣに対する主流路ＶＣ３１の傾斜の向きと、排出路ＥＰＣに対する排出部６１２１の傾斜の向きとは、同じである。
詳述すると、＋Ｙ方向から見て、第２排出路ＥＰＣ２に対する主流路ＶＣ３１Ａ〜ＶＣ３１Ｇの傾斜の向きと、第２排出路ＥＰＣ２に対する排出部６１２１の傾斜の向きとは、＋Ｘ方向かつ−Ｚ方向であり、同じである。また、第１排出路ＥＰＣ１に対する主流路ＶＣ３１Ｈ〜ＶＣ３１Ｌの傾斜の向きと、第１排出路ＥＰＣ１に対する排出部６１２１の傾斜の向きとは、＋Ｘ方向かつ−Ｚ方向であり、同じである。
なお、主流路ＶＣ３１の傾斜の向きと、排出部６１２１の傾斜の向きとが同じであるとは、主流路ＶＣ３１の延出方向と排出部６１２１の延出方向とが平行であることに加えて、略平行と判断できる程度の誤差を含む。更に、それぞれの傾斜の向きが同じであるとは、主流路ＶＣ３１と排出部６１２１とが排出路ＥＰＣに対してそれぞれ同じ側に傾斜することを含む。
【００９３】
複数の小流路ＶＣ３２は、図１１に示すように、対応する１つの主流路ＶＣ３１に連通する。複数の小流路ＶＣ３２は、対応する主流路ＶＣ３１に対して＋Ｚ方向に位置する複数の第１小流路ＶＣ３３と、対応する主流路ＶＣ３１に対して−Ｚ方向に位置する複数の第２小流路ＶＣ３４と、を含む。
【００９４】
各第１小流路ＶＣ３３における−Ｘ方向の端部は、閉塞されている。各第１小流路ＶＣ３３の＋Ｘ方向の端部は、＋Ｙ方向から見て、対応する主流路ＶＣ３１において蒸気の流通方向に沿って接続されており、かつ、互いに対向する端縁のうち、＋Ｚ方向の端縁と接続されている。詳述すると、各第１小流路ＶＣ３３は、−Ｘ方向の端部から＋Ｘ方向に向かうに従って、対応する主流路ＶＣ３１に近接する方向に延出し、対応する主流路ＶＣ３１における＋Ｚ方向の端縁と接続されている。すなわち、主流路ＶＣ３１に対して＋Ｚ方向に位置する各第１小流路ＶＣ３３は、主流路ＶＣ３１に対して、−Ｘ方向の端部から＋Ｘ方向に向かうに従って主流路ＶＣ３１に近接する方向に傾斜している。
各第１小流路ＶＣ３３の延出方向は、対応する主流路ＶＣ３１の延出方向に対して鋭角にて交差する。換言すると、第１小流路ＶＣ３３の延出方向は、当該第１小流路ＶＣ３３との接続部位からの主流路ＶＣ３１の延出方向と鈍角にて交差する。
【００９５】
各第２小流路ＶＣ３４における−Ｘ方向の端部は、閉塞されている。各第２小流路ＶＣ３４の＋Ｘ方向の端部は、＋Ｙ方向から見て、対応する主流路ＶＣ３１において蒸気の流通方向に沿って接続されており、かつ、互いに対向する端縁のうち、−Ｚ方向の端縁と接続されている。詳述すると、各第２小流路ＶＣ３４は、−Ｘ方向の端部から＋Ｘ方向に向かうに従って、対応する主流路ＶＣ３１に近接する方向に延出し、対応する主流路ＶＣ３１における−Ｚ方向の端縁と接続されている。すなわち、主流路ＶＣ３１に対して−Ｚ方向に位置する各第２小流路ＶＣ３４は、主流路ＶＣ３１に対して、−Ｘ方向の端部から＋Ｘ方向に向かうに従って主流路ＶＣ３１に近接する方向に傾斜している。
各第２小流路ＶＣ３４の延出方向は、対応する主流路ＶＣ３１の延出方向に対して鋭角にて交差する。換言すると、第２小流路ＶＣ３４の延出方向は、当該第２小流路ＶＣ３４との接続部位からの主流路ＶＣ３１の延出方向と鈍角にて交差する。
【００９６】
＋Ｙ方向から見て、第１小流路ＶＣ３３の流路幅と、第２小流路ＶＣ３４の流路幅とは同じである。また、＋Ｙ方向から見て、第１小流路ＶＣ３３の流路幅は、閉塞された端部から主流路ＶＣ３１側の端部までの間で略一定であり、第２小流路ＶＣ３４の流路幅は、閉塞された端部から主流路ＶＣ３１側の端部までの間で略一定である。
一方、＋Ｙ方向から見た場合、第１小流路ＶＣ３３の流路幅及び第２小流路ＶＣ３４の流路幅は、対応する主流路ＶＣ３１の流路幅より小さい。なお、主流路ＶＣ３１の流路幅も、−Ｘ方向の端部から＋Ｘ方向の端部までの間、すなわち、閉塞された端部から排出路ＥＰＣ側の端部までの間で略一定である。
【００９７】
第１小流路ＶＣ３３の深さ寸法は、閉塞された端部から主流路ＶＣ３１側の端部までの間で略一定であり、第１小流路ＶＣ３３との接続部位における主流路ＶＣ３１の深さ寸法よりも小さい、又は、主流路ＶＣ３１の深さ寸法と同じである。第２小流路ＶＣ３４の深さ寸法も、第１小流路ＶＣ３３と同様である。
主流路ＶＣ３１の流路幅は、閉塞された端部から排出路ＥＰＣ側の端部までの間で略一定である。一方、主流路ＶＣ３１の深さ寸法は、当該主流路ＶＣ３１を流通する蒸気の流通方向に向かって大きくなる。換言すると、主流路ＶＣ３１の深さ寸法と、主流路ＶＣ３１において蒸気の流通方向に直交する断面の面積は、排出路ＥＰＣに向かって大きくなる。
一方、第１小流路ＶＣ３３の流路長、及び、第２小流路ＶＣ３４の流路長は、主流路ＶＣ３１の流路長より小さい。
【００９８】
［蒸気の流通抵抗］
上記のように、第１小流路ＶＣ３３の延出方向は、第１小流路ＶＣ３３との接続部位からの主流路ＶＣ３１の延出方向と鈍角にて交差する。また、第２小流路ＶＣ３４の延出方向は、第２小流路ＶＣ３４との接続部位からの主流路ＶＣ３１の延出方向と鈍角にて交差する。このため、第１小流路ＶＣ３３を流通した蒸気の主流路ＶＣ３１への流通抵抗、及び、第２小流路ＶＣ３４を流通した蒸気の主流路ＶＣ３１への流通抵抗がそれぞれ小さくなる。
【００９９】
また、各主流路ＶＣ３１Ａ〜ＶＣ３１Ｇの延出方向は、各主流路ＶＣ３１Ａ〜ＶＣ３１Ｇとの接続部位からの第２排出路ＥＰＣ２の延出方向と鈍角にて交差する。同様に、各主流路ＶＣ３１Ｈ〜ＶＣ３１Ｌの延出方向は、各主流路ＶＣ３１Ｈ〜ＶＣ３１Ｌとの接続部位からの第１排出路ＥＰＣ１の延出方向と鈍角にて交差する。このため、主流路ＶＣ３１Ａ〜ＶＣ３１Ｌにて生じた蒸気、及び、主流路ＶＣ３１Ａ〜ＶＣ３１Ｌに各小流路ＶＣ３２から流入した蒸気の第１排出路ＥＰＣ１及び第２排出路ＥＰＣ２への流通抵抗が小さくなる。
【０１００】
更に、第１排出路ＥＰＣ１の延出方向は、排出部６１２１による蒸気の排出方向と鈍角にて交差し、第２排出路ＥＰＣ２の延出方向は、排出部６１２１による蒸気の排出方向と鈍角にて交差する。これにより、排出部６１２１を介して第１排出路ＥＰＣ１から蒸気管５２への蒸気の流通抵抗、及び、排出部６１２１を介して第２排出路ＥＰＣ２から蒸気管５２への蒸気の流通抵抗が、それぞれ小さくなる。
そして、第２排出路ＥＰＣ２に対する主流路ＶＣ３１Ａ〜ＶＣ３１Ｇの傾斜の向きと、第２排出路ＥＰＣ２に対する排出部６１２１の傾斜の向きとは、同じであり、第１排出路ＥＰＣ１に対する主流路ＶＣ３１Ｈ〜ＶＣ３１Ｌの傾斜の向きと、第１排出路ＥＰＣ１に対する排出部６１２１の傾斜の向きとは、同じである。このため、主流路ＶＣ３１から排出路ＥＰＣを介して排出部６１２１に流通する蒸気の流通抵抗が、小さくなる。
このように、それぞれにおける蒸気の流通抵抗が小さくなることにより、蒸発部６Ｃにて生じた蒸気を蒸気管５２に排出しやすくすることができ、蒸発部６Ｃによる蒸気の排出効率を高めることができる。
【０１０１】
［第３実施形態の効果］
以上説明した本実施形態に係るプロジェクターによれば、プロジェクター１と同様の効果を奏することができる他、以下の効果を奏することができる。
グルーブ６４Ｃにおいて、主流路ＶＣ３１Ａ〜ＶＣ３１Ｇは、第２排出路ＥＰＣ２に対して、第２排出路ＥＰＣ２における蒸気（すなわち気相の作動流体）の流通方向である−Ｚ方向に向かって傾斜している。排出部６１２１は、第２排出路ＥＰＣ２に対して、第２排出路ＥＰＣ２における蒸気の流通方向である−Ｚ方向に向かって傾斜しており、かつ、主流路ＶＣ３１Ａ〜ＶＣ３１Ｇが第２排出路ＥＰＣ２に対して傾斜する方向の第２排出路ＥＰＣ２の端部側に接続されている。そして、第１方向である＋Ｙ方向から見て、第２排出路ＥＰＣ２に対する主流路ＶＣ３１Ａ〜ＶＣ３１Ｇの傾斜の向きと、第２排出路ＥＰＣ２に対する排出部６１２１の傾斜の向きとは、同じである。
同様に、主流路ＶＣ３１Ｈ〜ＶＣ３１Ｌは、第１排出路ＥＰＣ１に対して、第１排出路ＥＰＣ１における蒸気（すなわち気相の作動流体）の流通方向である＋Ｘ方向に向かって傾斜している。また、排出部６１２１は、第１排出路ＥＰＣ１に対して、第１排出路ＥＰＣ１における蒸気の流通方向である−Ｚ方向に向かって傾斜しており、かつ、主流路ＶＣ３１Ｈ〜ＶＣ３１Ｌが第１排出路ＥＰＣ１に対して傾斜する方向の第１排出路ＥＰＣ１の端部側に接続されている。そして、第１方向である＋Ｙ方向から見て、第１排出路ＥＰＣ１に対する主流路ＶＣ３１Ｈ〜ＶＣ３１Ｌの傾斜の向きと、第１排出路ＥＰＣ１に対する排出部６１２１の傾斜の向きとは、同じである。
【０１０２】
このような構成によれば、主流路ＶＣ３１Ａ〜ＶＣ３１Ｇから第２排出路ＥＰＣ２への蒸気の流通抵抗を小さくすることができるとともに、第２排出路ＥＰＣ２から排出部６１２１への蒸気の流通抵抗を小さくすることができる。同様に、主流路ＶＣ３１Ｈ〜ＶＣ３１Ｌから第１排出路ＥＰＣ１への蒸気の流通抵抗を小さくすることができるとともに、第１排出路ＥＰＣ１から排出部６１２１への蒸気の流通抵抗を小さくすることができる。従って、蒸発部６Ｃからの蒸気の排出効率を高めることができ、ひいては、冷却対象である光源４１１の冷却効率を高めることができる。
なお、グルーブ６４Ｃは、主流路ＶＣ３１Ａ〜ＶＣ３１Ｇ及び第２排出路ＥＰＣ２が含まれるセットと、主流路ＶＣ３１Ｈ〜ＶＣ３１Ｌ及び第１排出路ＥＰＣ１が含まれるセットとの少なくともいずれかを有していればよい。このような場合でも、本実施形態に係る冷却装置５及びプロジェクターは、上記効果を奏することができる。
【０１０３】
［第４実施形態］
次に、本発明の第４実施形態について説明する。
本実施形態に係るプロジェクターは、第１実施形態にて示したプロジェクター１と同様の構成を備えるが、第２筐体及びグルーブの構成が異なる。詳述なお、以下の説明では、既に説明した部分と同一又は略同一である部分については、同一の符号を付して説明を省略する。
【０１０４】
図１２は、本実施形態に係るプロジェクターが備える第２筐体６１２Ｄ及びグルーブ６４Ｄを＋Ｙ方向から見た平面図である。なお、図１２では、小流路ＶＣ４２の図示を省略している他、見易さを考慮して、ハッチを付すことによって、第２筐体６１２Ｄにおける＋Ｙ方向の面６１２Ｄ１と、グルーブ６４Ｄにおいてウィック６３と接触する面６４Ｄ１と、を表している。
本実施形態に係るプロジェクターは、蒸発部６Ａに代えて蒸発部６Ｄを有する他は、第１実施形態に係るプロジェクター１と同様の構成及び機能を有する。すなわち、本実施形態において光源４１１を冷却対象とする冷却装置５は、蒸発部６Ａに代えて蒸発部６Ｄを有する。
蒸発部６Ｄは、第２筐体６１２及びグルーブ６４Ａに代えて、図１２に示す第２筐体６１２Ｄ及びグルーブ６４Ｄを有する他は、蒸発部６Ａと同様の構成及び機能を有する。
【０１０５】
［第２筐体の構成］
第２筐体６１２Ｄは、第２筐体６１２と同様に、第１筐体６１１と−Ｙ方向にて組み合されることによって筐体６１を構成する。第２筐体６１２Ｄは、＋Ｙ方向から見て略ｐ字状に形成されている。第２筐体６１２Ｄの内側には、ウィック６３が配置される他、グルーブ６４Ｄが設けられる。
第２筐体６１２Ｄの外周部において＋Ｘ方向かつ＋Ｚ方向の部位には、蒸気管５２と接続される排出部６１２１が設けられており、排出部６１２１は、後述する排出路ＥＰＤを流通した蒸気を蒸気管５２に対して＋Ｘ方向に排出する。すなわち、本実施形態では、排出部６１２１による蒸気の排出方向は、＋Ｘ方向である。
【０１０６】
［グルーブの構成］
グルーブ６４Ｄは、＋Ｙ方向から見て略円形状を有し、第２筐体６１２Ｄと一体化されている。グルーブ６４Ｄにおける＋Ｙ方向の面６４Ｄ１は、ウィック６３における−Ｙ方向の面と接続される。このようなグルーブ６４Ｄは、複数の流路ＶＣ４と、排出路ＥＰＤとを有する。
【０１０７】
［排出路の構成］
排出路ＥＰＤは、面６４Ｄ１から−Ｙ方向に凹んだ溝部であり、＋Ｙ方向から見て、複数の流路ＶＣ４の外側に、複数の流路ＶＣ４を囲む環状に設けられている。排出路ＥＰＤは、各流路ＶＣ４の主流路ＶＣ４１と排出部６１２１とに連通しており、各主流路ＶＣ４１を流通した蒸気を排出部６１２１に流通させる。
【０１０８】
［流路の構成］
図１３は、流路ＶＣ４を構成する主流路ＶＣ４１及び複数の小流路ＶＣ４２の一部を拡大して示す平面図である。なお、図１３においては、見易さを考慮して、小流路ＶＣ４２のうち、一部の小流路ＶＣ４２についてのみ符号を付す。
複数の流路ＶＣ４は、蒸発部６Ｄにて液相から気相に変化した作動流体、すなわち、蒸気が流通する流路であり、面６４Ｄ１から−Ｙ方向に凹んだ溝部である。各流路ＶＣ４は、図１２及び図１３に示すように、１つの主流路ＶＣ４１を有する他、図１３に示すように、当該１つの主流路ＶＣ４１に接続される複数の小流路ＶＣ４２を有する。
各主流路ＶＣ４１は、図１２に示すように、＋Ｙ方向から見て、略円形状のグルーブ６４Ｄの中央側から外縁に向かって、反時計回りの渦巻状に延出している。主流路ＶＣ４１においてグルーブ６４Ｄの中央側の端部、すなわち、主流路ＶＣ４１において蒸気の流通方向とは反対方向の端部は、閉塞されている。また、主流路ＶＣ４１において蒸気の流通方向の端部、すなわち、主流路ＶＣ４１におけるグルーブ６４Ｄの外縁側の端部は、排出路ＥＰＤと連通している。これにより、主流路ＶＣ４１を流通した蒸気は、排出路ＥＰＤに流入する。
【０１０９】
各主流路ＶＣ４１の流路幅は、グルーブ６４Ｄの中央から外縁に亘って略一定である。一方、主流路ＶＣ４１において蒸気の流通方向に直交する断面の面積は、グルーブ６４Ｄの中央側から外縁に向かって大きくなる。詳述すると、主流路ＶＣ４１は、図示を省略するが、主流路ＶＣ１１が有する拡張部ＥＸと同様の拡張部を有する。このため、主流路ＶＣ４１の深さ寸法は、グルーブ６４Ｄの中央側から外縁に向かって大きくなる。これにより、主流路ＶＣ４１において下流側への蒸気の流通抵抗が小さくなる。
また、主流路ＶＣ４１と排出路ＥＰＤとの接続部位において、主流路ＶＣ４１の延出方向は、排出路ＥＰＤの延出方向と鈍角にて交差する。これにより、主流路ＶＣ４１から排出路ＥＰＤへの蒸気の流通抵抗が小さくなる。
【０１１０】
複数の小流路ＶＣ４２は、主流路ＶＣ４１に応じて設けられ、主流路ＶＣ４１と連通し、流通する蒸気を主流路ＶＣ４１に流通させる。各小流路ＶＣ４２は、図１３に示すように、渦巻状の主流路ＶＣ４１における内周側の端縁に沿って配列され、グルーブ６４Ｄにおける中央側から外縁に向かって延出して、渦巻状の主流路ＶＣ４１における内周縁と接続されている。なお、各小流路ＶＣ４２において、対応する主流路ＶＣ４１と連通する端部とは反対側の端部は、閉塞されている。
＋Ｙ方向から見て、各小流路ＶＣ４２の流路幅は、閉塞された端部から主流路ＶＣ４１側の端部までの間で一定である。そして、各小流路ＶＣ４２の流路幅は、対応する主流路ＶＣ４１の流路幅より小さい。また、各小流路ＶＣ４２の流路長は、対応する主流路ＶＣ４１の流路長より小さい。本実施形態では、各小流路ＶＣ４２の深さ寸法は一定であるが、小流路ＶＣ４２の少なくとも一部に、蒸気の流通方向に向かって深さ寸法が大きくなる部位が設けられていてもよい。すなわち、小流路ＶＣ４２は、拡張部ＥＸと同様の拡張部を有していてもよい。
【０１１１】
各小流路ＶＣ４２は、それぞれ直線状に延出している。そして、各小流路ＶＣ４２の延出方向は、当該小流路ＶＣ４２との接続部位からの主流路ＶＣ４１の延出方向と鈍角にて交差する。換言すると、小流路ＶＣ４２の延出方向は、主流路ＶＣ４１において小流路ＶＣ４２との接続部位における接線と鈍角にて交差する。このため、小流路ＶＣ４２を流通する蒸気の主流路ＶＣ４１への流通抵抗は小さい。なお、小流路ＶＣ４２は、直線状でなくてもよく、例えば、対応する主流路ＶＣ４１の延出方向に沿う曲線状に形成されていてもよい。
【０１１２】
各小流路ＶＣ４２にて生じた蒸気は、対応する主流路ＶＣ４１に流通する。主流路ＶＣ４１にて生じた蒸気は、各小流路ＶＣ４２から流入した蒸気とともに、グルーブ６４Ｄの外縁側に流通し、排出路ＥＰＤに流入する。ウィック６３にて蒸気が生じる場合も、各流路ＶＣ４を流通する点で同様である。
排出路ＥＰＤに流入した蒸気は、排出路ＥＰＤを反時計回りに流通した後、排出部６１２１を介して蒸気管５２に排出される。
【０１１３】
なお、図示を省略するが、第２筐体６１２Ｄにおける−Ｙ方向の面である底面は、−Ｙ方向から見てすり鉢状の傾斜面である。そして、冷却対象である光源４１１の発熱中心ＨＣは、底面において各主流路ＶＣ４１の上流の部位に応じた中央部に当接するように配置される。
【０１１４】
［第４実施形態の効果］
以上説明した本実施形態に係るプロジェクターによれば、第１実施形態に係るプロジェクター１と同様の効果を奏することができる他、以下の効果を奏することできる。
グルーブ６４Ｄにおいて、各流路ＶＣ４の主流路ＶＣ４１は、第１方向である＋Ｙ方向から見て、グルーブ６４Ｄの中央側から外縁に向かって渦巻状に延出している。そして、グルーブ６４Ｄの排出路ＥＰＤは、＋Ｙ方向から見て、複数の流路ＶＣ４を囲む環状に設けられている。
このような構成によれば、主流路ＶＣ４１を流通した蒸気を排出路ＥＰＤに流通させやすくすることができ、ひいては、蒸気管５２と接続される排出部６１２１に、排出路ＥＰＤを流通した蒸気を流通させやすくすることができる。従って、蒸気の排出効率を高めることができ、ひいては、冷却対象である光源４１１の冷却効率を高めることができる。
【０１１５】
複数の小流路ＶＣ４２は、グルーブ６４Ｄの中央側から外縁に向かって延出して、主流路ＶＣ４１と接続されている。
このような構成によれば、各小流路ＶＣ４２の延出方向を、渦巻状の主流路ＶＣ４１の延出方向に沿わせることができるので、各小流路ＶＣ４２から主流路ＶＣ４１に蒸気を流通させやすくすることができる。従って、蒸気の排出効率を高めることができ、ひいては、光源４１１の冷却効率を高めることができる。
【０１１６】
ここで、渦巻状の主流路ＶＣ４１を蒸気が流通する際に、蒸気は、主流路ＶＣ４１における内周縁側より外周縁側を流通しやすくなると考えられる。
これに対し、複数の小流路ＶＣ４２は、渦巻状の主流路ＶＣ４１の内周縁に接続されている。これによれば、主流路ＶＣ４１を流通する蒸気の流れと、各小流路ＶＣ４２から主流路ＶＣ４１に流通する蒸気の流れとが互いに干渉することを抑制できる。このため、各小流路ＶＣ４２から主流路ＶＣ４１に蒸気を流通させやすくすることができる他、主流路ＶＣ４１における蒸気の流通が妨げられることを抑制できる。従って、蒸気の排出効率を高めることができ、ひいては、光源４１１の冷却効率を高めることができる。
【０１１７】
［実施形態の変形］
本発明は、上記各実施形態に限定されるものではなく、本発明の目的を達成できる範囲での変形、改良等は本発明に含まれるものである。
上記各実施形態では、グルーブが有する全ての流路は、主流路と、当該主流路に連通する複数の小流路と、を有するとした。しかしながら、これに限らず、グルーブが有する複数の流路のうち、少なくとも１つの流路が、主流路及び複数の小流路を有するものであってもよい。
また、グルーブ６４Ａ〜６４Ｄが有する流路ＶＣ１，ＶＣ２，ＶＣ３，ＶＣ４の数は、上記に限らず、適宜変更してよい。同様に、主流路ＶＣ１１，ＶＣ３１，ＶＣ４１に接続される小流路ＶＣ１２，ＶＣ２２，ＶＣ３２，ＶＣ４２の数も、適宜変更可能である。
【０１１８】
上記各実施形態では、主流路ＶＣ１１，ＶＣ３１，ＶＣ４１は、それぞれ蒸気の流通方向における上流側の端部が閉塞されているとした。しかしながら、これに限らず、複数の流路における各主流路は、排出路だけでなく他の主流路に接続されていてもよい。
【０１１９】
上記第１及び第２実施形態では、主流路ＶＣ１１は、＋Ｘ方向に延出し、各小流路ＶＣ１２，ＶＣ２２は、＋Ｘ方向に向かうに従って、対応する主流路ＶＣ１１に近接する方向に傾斜して延出しているとした。しかしながら、これに限らず、各小流路ＶＣ１２，ＶＣ２２の延出方向は、対応する主流路ＶＣ１１の延出方向に対して直交してもよく、主流路ＶＣ１１における蒸気の流通方向の上流側を向いていてもよい。上記第３実施形態にて示した小流路ＶＣ３２においても同様である。
また、小流路ＶＣ１２，ＶＣ２２（ＶＣ２３，ＶＣ２４）、ＶＣ３２（ＶＣ３３，ＶＣ３４），ＶＣ４２は、直線状に延出するとした。しかしながら、これに限らず、小流路は、対応する主流路の延出方向に沿って延出していれば、曲線状に形成されていてもよい。
【０１２０】
上記第１〜第３実施形態では、主流路ＶＣ１１，ＶＣ３１は、排出部６１２１による蒸気の排出方向と略平行に延出するとした。しかしながら、これに限らず、主流路の延出方向と排出部６１２１による蒸気の排出方向とは平行でなくてもよい。例えば、主流路は、閉塞された端部から＋Ｘ方向に延出し、排出路は、＋Ｚ方向に延出し、排出部６１２１による蒸気の排出方向は、＋Ｚ方向に沿う方向であってもよい。
【０１２１】
上記各実施形態では、グルーブ６４Ａ〜６４Ｄは、複数の流路ＶＣ１〜ＶＣ４を流通した蒸気を排出部６１２１に導く排出路ＥＰＡ，ＥＰＣ，ＥＰＤを有するとした。しかしながら、これに限らず、流路毎に排出部が筐体に設けられていてもよい。この場合、例えば筐体外に、排出部から排出された蒸気が合流する合流部が設けられていてもよい。
【０１２２】
上記第３実施形態では、複数の小流路Ｖ３２として、主流路ＶＣ３１に対して＋Ｚ方向に位置する複数の第１小流路ＶＣ３３と、主流路ＶＣ３１に対して−Ｚ方向に位置する複数の第２小流路ＶＣ３４との両方が設けられているとした。しかしながら、これに限らず、複数の第１小流路ＶＣ３３及び複数の第２小流路ＶＣ３４のうち一方のみが設けられていてもよい。
【０１２３】
上記第４実施形態では、小流路ＶＣ４２は、グルーブ６４Ｄの中央側から外縁に向かって延出しているとした。すなわち、小流路ＶＣ４２は、閉塞された端部からグルーブ６４Ｄの外縁に向かって延出しているとした。しかしながら、これに限らず、小流路ＶＣ４２は、閉塞された端部からグルーブ６４Ｄの中央側に向かって延出していてもよい。
また、小流路ＶＣ４２は、対応する主流路ＶＣ４１の内周縁に接続されているとした。しかしながら、これに限らず、外周縁に接続されていてもよい。この他、主流路ＶＣ４１における内周縁に接続される複数の小流路と、外周縁に接続される複数の小流路との両方が設けられていてもよい。
【０１２４】
上記各実施形態では、主流路ＶＣ１１，ＶＣ３１，ＶＣ４１における蒸気の流通方向に直交する断面の面積は、主流路ＶＣ１１，ＶＣ３１，ＶＣ４１における蒸気の流通方向に向かって大きくなるとした。詳述すると、＋Ｙ方向から見て、主流路ＶＣ１１，ＶＣ３１，ＶＣ４１の流路幅は略一定で、主流路ＶＣ１１，ＶＣ３１，ＶＣ４１における＋Ｙ方向の寸法が、蒸気の流通方向に向かって大きくなることによって、上記断面の面積が、蒸気の流通方向に向かって大きくなるとした。しかしながら、これに限らず、上記断面の面積は略一定であってもよい。一方、＋Ｙ方向から見た流路幅が蒸気の流通方向に向かって大きくなることによって、上記断面の面積が、蒸気の流通方向に向かって大きくなる構成としてもよい。
【０１２５】
上記各実施形態では、第２筐体６１２，６１２Ｃ，６１２Ｄは、主流路ＶＣ１１，ＶＣ３１，ＶＣ４１の底部ＢＴに沿う傾斜面である底面を有するとした。しかしながら、これに限らず、第２筐体における−Ｙ方向の面である底面は、傾斜面でなくてもよく、例えば、＋Ｙ方向に直交する平面であってもよい。
また、冷却対象である光源４１１の発熱中心ＨＣは、傾斜面である底面において、主流路ＶＣ１１，ＶＣ３１，ＶＣ４１における上流側の部位に対応して熱伝達可能に設けられるとした。しかしながら、これに限らず、底面において発熱中心ＨＣが接続される部位は、適宜変更可能である。
【０１２６】
上記各実施形態では、主流路ＶＣ１１，ＶＣ３１，ＶＣ４１にて蒸気（気相の作動流体）の流通方向に向かって傾斜する拡張部ＥＸは、主流路ＶＣ１１，ＶＣ３１，ＶＣ４１において閉塞した一端から排出路ＥＰＡ，ＥＰＣ，ＥＰＤに連通する他端までに亘って設けられているとした。しかしながら、これに限らず、拡張部は、主流路ＶＣ１１，ＶＣ３１，ＶＣ４１における一端から他端までのうち一部に設けられるとしてもよい。
また、拡張部ＥＸは、蒸気の流通方向に向かって傾斜する構造としたが、これに限らず、主流路ＶＣ１１，ＶＣ３１，ＶＣ４１における気相の作動流体の流通方向に直交する断面の面積が蒸気の流通方向に向かって大きくなる構造であればよい。例えば、拡張部は、階段状の構造であってもよい。
【０１２７】
上記各実施形態では、グルーブ６４Ａ〜６４Ｄは、筐体６１を構成する第２筐体６１２，６１２Ｃ，６１２Ｄと一体化されているとした。しかしながら、これに限らず、グルーブと第２筐体とは別体であってもよい。この場合、ウィック及びグルーブは、第２筐体の内部に配置されればよい。
【０１２８】
上記各実施形態では、光源装置４の光源４１１は、半導体レーザー４１２，４１３を有するものとした。しかしながら、これに限らず、光源装置は、超高圧水銀ランプ等の光源ランプや、ＬＥＤ（Light Emitting Diode）等の他の固体光源を、光源として有するものであってもよい。この場合、ループ型ヒートパイプ５１の冷却対象は、光源ランプや他の固体光源であってもよい。
また、冷却装置５の冷却対象は、光源４１１に限らず、他の構成であってもよい。例えば、冷却装置５は、光変調装置３４３及び偏光変換素子３１３等の光学部品を冷却するものでもよく、制御装置や電源装置に設けられた回路素子を冷却するものであってもよい。
【０１２９】
上記各実施形態では、プロジェクターは、３つの光変調装置３４３（３４３Ｂ，３４３Ｇ，３４３Ｒ）を備えるとした。しかしながら、これに限らず、２つ以下、あるいは、４つ以上の光変調装置を備えるプロジェクターにも、本発明を適用可能である。
上記各実施形態では、光変調装置３４３は、光入射面と光出射面とが異なる透過型の液晶パネルであるとした。しかしながら、これに限らず、光変調装置として、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【０１３０】
上記各実施形態では、ループ型ヒートパイプ５１を備える冷却装置５をプロジェクターに適用した例を挙げた。しかしながら、これに限らず、本発明の冷却装置は、プロジェクター以外の装置及び機器に適用可能である他、単体で利用することも可能である。すなわち、本発明の冷却装置の用途は、プロジェクターの構成部品を冷却するものに限定されない。
【符号の説明】
【０１３１】
１…プロジェクター、３４３（３４３Ｂ，３４３Ｇ，３４３Ｒ）…光変調装置、３６…投射光学装置、４１１…光源（冷却対象）、５２…蒸気管、５３…凝縮部、５４…液管、６Ａ，６Ｂ，６Ｃ，６Ｄ…蒸発部、６１…筐体、６１２１…排出部、６１２２…傾斜面、６２…リザーバー、６３…ウィック、６４Ａ，６４Ｂ，６４Ｃ，６４Ｄ…グルーブ、ＢＴ…底部、ＥＰＡ，ＥＰＣ（ＥＰＣ１，ＥＰＣ２），ＥＰＤ…排出路、ＥＸ…拡張部、ＨＣ…発熱中心、ＶＣ１〜ＶＣ４…流路、ＶＣ１１，ＶＣ３１，ＶＣ４１…主流路、ＶＣ１２，ＶＣ２２，ＶＣ３２，ＶＣ４２…小流路、ＶＣ２３，ＶＣ３３…第１小流路、ＶＣ２４，ＶＣ３４…第２小流路。
【図１】
2020134897.tif 000003
【図２】
2020134897.tif 000004
【図３】
2020134897.tif 000005
【図４】
2020134897.tif 000006
【図５】
2020134897.tif 000007
【図６】
2020134897.tif 000008
【図７】
2020134897.tif 000009
【図８】
2020134897.tif 000010
【図９】
2020134897.tif 000011
【図１０】
2020134897.tif 000012
【図１１】
2020134897.tif 000013
【図１２】
2020134897.tif 000014
【図１３】
2020134897.tif 000015